(57)【特許請求の範囲】
【請求項１】
集合搬送波に対する搬送波固有のパワーヘッドルームを報告するための方法であって、
複数の集合搬送波から、サブフレームｉにおいて物理アップリンク共有チャネル（ＰＵＳＣＨ）送信を有する第１の搬送波を判定するステップと、
前記複数の集合搬送波から、サブフレームｉにおいてＰＵＳＣＨ送信を有さない第２の搬送波を判定するステップと、
【数１】
0005581331.tif 000034
式１にしたがって、第１のパワーヘッドルームを計算するステップであって、ＰCMAX_carrierは搬送波ごとの最大電力であり、ｋ1は前記第１の搬送波であり、および、ＰPUSCH_UG（ｋ1，ｉ）は最大電力制限を課す前のサブフレームｉにおける前記第１の搬送波に対する送信電力である、ステップと、
【数２】
0005581331.tif 000035
式２にしたがって、前記第２の搬送波に対する第２のパワーヘッドルームを計算するステップであって、ｋ2は前記第２の搬送波であり、および、ＰPUSCH_REF（ｋ2，ｉ）は基準グラント割り当てにしたがって判定された送信電力である、ステップと
を備えることを特徴とする方法。
【請求項２】
【数３】
0005581331.tif 000036
ＢＷkは搬送波ｋに対する帯域幅であり、Ｋは搬送波の最大数であり、ＰCMAXは総最大送信電力であり、および、前記式３は、ワイヤレス送信／受信ユニットにおけるすべての電力増幅器にわたるすべてのサブバンドまたは搬送波に対して使用されることを特徴とする請求項１に記載の方法。
【請求項３】
【数４】
0005581331.tif 000037
になるように、すべての搬送波ｋに対するＰCMAX_carrier（ｋ）の和がＰCMAXによって制限されることを特徴とする請求項２に記載の方法。
【請求項４】
【数５】
0005581331.tif 000038
ＢＷkは搬送波ｋに対する帯域幅であり、Ωはアクティブ搬送波の集合であり、ＰCMAXは総最大送信電力であり、および、前記式５は、ワイヤレス送信／受信ユニットにおけるすべての電力増幅器にわたるすべてのサブバンドまたは搬送波に対して、サブフレームｉにおいてアクティブグラントを有する搬送波のサブセットに対して使用されることを特徴とする請求項１に記載の方法。
【請求項５】
【数６】
0005581331.tif 000039
になるように、Ωにおけるすべての搬送波ｋに対するＰCMAX_carrier（ｋ）の和がＰCMAXによって制限されることを特徴とする請求項４に記載の方法。
【請求項６】
【数７】
0005581331.tif 000040
ＢＷkは搬送波ｋに対する帯域幅であり、Ωmは搬送波グループｍの搬送波の集合であり、および、ＰCMAX（ｍ）は搬送波グループｍに対する最大送信電力であることを特徴とする請求項１に記載の方法。
【請求項７】
【数８】
0005581331.tif 000041
になるように、Ωmにおけるすべての搬送波ｋに対するＰCMAX_carrier（ｋ）の和がＰCMAX（ｍ）によって制限されることを特徴とする請求項６に記載の方法。
【請求項８】
【数９】
0005581331.tif 000042
ＢＷkは搬送波ｋに対する帯域幅であり、Ωmは搬送波グループｍの搬送波の集合であり、および、ＰCMAX（ｍ）は搬送波グループｍに対する最大送信電力であることを特徴とする請求項１に記載の方法。
【請求項９】
【数１０】
0005581331.tif 000043
になるように、Ωmにおけるすべての搬送波ｋに対するＰCMAX_carrier（ｋ）の和がＰCMAX（ｍ）によって制限されることを特徴とする請求項８に記載の方法。
【請求項１０】
前記第１のパワーヘッドルームおよび前記第２のパワーヘッドルームを報告するステップをさらに備えることを特徴とする請求項１に記載の方法。
【請求項１１】
ＰPUSCH_UG（ｋ，ｉ）は、
【数１１】
0005581331.tif 000044
式１１にしたがって、搬送波ｋに対して定義され、ＭPUSCHはサブフレームに対するＰＵＳＣＨリソース割り当ての帯域幅であり、αはセル固有のパラメータであり、ＰＬはパスロス推定値であり、ΔTFはトランスポート係数であり、および、ｆは搬送波固有の送信電力または搬送波固有のパスロスの関数であることを特徴とする請求項１に記載の方法。
【請求項１２】
ＰCMAX_carrier（ｋ）は、前記搬送波の最大ＷＴＲＵ送信電力であることを特徴とする請求項１１に記載の方法。
【請求項１３】
ＰCMAX_carrier（ｋ２）およびＰCMAX_carrier（ｋ１）の和は、前記複数の集合搬送波に対するＰCMAX以下であることを特徴とする請求項１に記載の方法。
【請求項１４】
サブフレームｉにおいてＰＵＳＣＨ送信を有さない第３の搬送波を判定するステップをさらに備えることを特徴とする請求項１に記載の方法。
【請求項１５】
【数１２】
0005581331.tif 000045
式１２にしたがって、前記第３の搬送波に対する第３のパワーヘッドルームを計算するステップであって、ｋ3は前記第３の搬送波であり、および、ＰPUSCH_REF（ｋ3，ｉ）は基準グラント割り当てにしたがって判定された送信電力である、ステップをさらに備えることを特徴とする請求項１４に記載の方法。
【請求項１６】
前記第１のパワーヘッドルーム、前記第２のパワーヘッドルーム、および前記第３のパワーヘッドルームを報告するステップをさらに備えることを特徴とする請求項１５に記載の方法。
【請求項１７】
搬送波固有のパワーヘッドルームを報告するための方法であって、
搬送波ごとの最大電力、ＰCMAX_carrierを計算するステップと、
前記搬送波が有効なアップリンクグラントを有していないという条件で、
ＰＨ（ｋ，ｉ）＝ＰCMAX_carrier（ｋ）−ＰPUCSH_REF（ｋ，ｉ）（式１３）
式１３にしたがって、基準グラントを使用してパワーヘッドルームを計算するステップであって、
ｋは搬送波番号であり、ｉは前記パワーヘッドルームが報告されることになるサブフレームであり、および、ＰPUSCH_REF（ｋ，ｉ）は、
ＰPUSCH_REF（ｋ，ｉ）＝ｆ1_REF（ＰPUSCH_REF（ｎ，ｉ））＋α×（ＰＬ（ｋ）−ｆ2_REF（ＰＬ（ｎ）））（式１４）
として定義され、
ｆ1_REF（＊）は基準搬送波固有のワイヤレス送信／受信ユニット送信電力の関数であり、ｎ≠ｋであり、搬送波ｎは有効なアップリンクグラントを有する搬送波の集合に属し、αはセル固有のパラメータであり、ＰＬ（ｋ）は搬送波ｋについてのパスロス推定値であり、および、ｆ2_REF（＊）は基準搬送波固有のパスロスの関数である、ステップと、
前記計算されたパワーヘッドルームを報告するステップと
を備えることを特徴とする方法。
【請求項１８】
搬送波ごとの前記最大電力を計算するステップは、
【数１３】
0005581331.tif 000046
式１５に基づいており、ＢＷkは搬送波ｋに対する帯域幅であり、Ｋは搬送波の最大数であり、ＰCMAXは総最大送信電力であり、および、前記式１５は、ワイヤレス送信／受信ユニットにおけるすべての電力増幅器わたるすべてのサブバンドまたは搬送波に対して使用されることを特徴とする請求項１７に記載の方法。
【請求項１９】
【数１４】
0005581331.tif 000047
になるように、すべての搬送波ｋに対するＰCMAX_carrier（ｋ）の和がＰCMAXによって制限されることを特徴とする請求項１８に記載の方法。
【請求項２０】
搬送波ごとの前記最大電力を計算するステップは、
【数１５】
0005581331.tif 000048
式１７に基づいており、ＢＷkは搬送波ｋに対する帯域幅であり、Ωはアクティブ搬送波の集合であり、ＰCMAXは総最大送信電力であり、および、前記式１７は、ワイヤレス送信／受信ユニットにおけるすべての電力増幅器にわたるすべてのサブバンドまたは搬送波に対して、サブフレームｉにおいてアクティブグラントを有する搬送波のサブセットに対して使用されることを特徴とする請求項１７に記載の方法。
【請求項２１】
【数１６】
0005581331.tif 000049
になるように、Ωにおけるすべての搬送波ｋに対するＰCMAX_carrier（ｋ）の和がＰCMAXによって制限されることを特徴とする請求項２０に記載の方法。
【請求項２２】
搬送波ごとの前記最大電力を計算するステップは、
【数１７】
0005581331.tif 000050
式１９に基づいており、ＢＷkは搬送波ｋに対する帯域幅であり、Ωmは搬送波グループｍの搬送波の集合であり、および、ＰCMAX（ｍ）は搬送波グループｍに対する最大送信電力であることを特徴とする請求項１７に記載の方法。
【請求項２３】
【数１８】
0005581331.tif 000051
になるように、Ωmにおけるすべての搬送波ｋに対するＰCMAX_carrier（ｋ）の和がＰCMAX（ｍ）によって制限されることを特徴とする請求項２２に記載の方法。
【請求項２４】
搬送波グループ固有のパワーヘッドルームを報告するための方法であって、
搬送波ごとの最大電力、ＰCMAX_carrier（ｋ）を計算するステップと、
前記搬送波グループにおける少なくとも１つの搬送波が有効なアップリンクグラントを有しているという条件で、
【数１９】
0005581331.tif 000052
式２１にしたがって、グループパワーヘッドルームを計算するステップであって、ｍは搬送波グループ番号であり、ｉは前記搬送波グループにおける少なくとも１つの搬送波が有効なアップリンクグラントを有するサブフレーム番号であり、Ωmは搬送波グループｍの搬送波の集合であり、および、ＰPUSCH_UG（ｋ，ｉ）は、最大電力制限を課す前のサブフレームｉにおける搬送波ｋに対する送信電力である、ステップと、
前記計算されたパワーヘッドルームを報告するステップと
を備えることを特徴とする方法。
【請求項２５】
搬送波ごとの前記最大電力を計算するステップは、
【数２０】
0005581331.tif 000053
式２２に基づいており、ＢＷkは搬送波ｋに対する帯域幅であり、Ｋは搬送波の最大数であり、ＰCMAXは総最大送信電力であり、および、前記式２２は、ワイヤレス送信／受信ユニットにおけるすべての電力増幅器にわたるすべてのサブバンドまたは搬送波に対して使用されることを特徴とする請求項２４に記載の方法。
【請求項２６】
【数２１】
0005581331.tif 000054
になるように、Ωにおけるすべての搬送波ｋに対するＰCMAX_carrier（ｋ）の和がＰCMAXによって制限されることを特徴とする請求項２５に記載の方法。
【請求項２７】
搬送波ごとの前記最大電力を計算するステップは、
【数２２】
0005581331.tif 000055
式２４に基づいており、ＢＷkは搬送波ｋに対する帯域幅であり、Ωはアクティブ搬送波の集合であり、ＰCMAXは総最大送信電力であり、および、前記式２４は、ワイヤレス送信／受信ユニットにおけるすべての電力増幅器にわたる搬送波のサブセットに対して使用されることを特徴とする請求項２４に記載の方法。
【請求項２８】
【数２３】
0005581331.tif 000056
になるように、Ωにおけるすべての搬送波ｋに対するＰCMAX_carrier（ｋ）の和がＰCMAXによって制限されることを特徴とする請求項２７に記載の方法。
【請求項２９】
搬送波グループ固有のパワーヘッドルームを報告するための方法であって、
搬送波ごとの最大電力、ＰCMAX_carrier（ｋ）を計算するステップと、
前記搬送波グループにおいて有効なアップリンクグラントを有する搬送波がないという条件で、
【数２４】
0005581331.tif 000057
式２６にしたがって、基準グラントを使用してグループパワーヘッドルームを計算するステップであって、
ｍは搬送波グループ番号であり、ｉは前記パワーヘッドルームが報告されることになるサブフレーム番号であり、Ωmは搬送波グループｍの搬送波の集合であり、および、ＰPUSCH_REF（ｋ，ｉ）は、
【数２５】
0005581331.tif 000058
として定義され、
ｆ1_REF（＊）は基準搬送波固有のＷＴＲＵ送信電力の関数であり、ｎ≠ｋであり、搬送波ｎは有効なアップリンクグラントを有する搬送波の前記集合に属し、ａはセル固有のパラメータであり、ＰＬ（ｋ）は搬送波ｋについてのパスロス推定値であり、および、ｆ2_REF（＊）は基準搬送波固有のパスロスの関数である、ステップと、
前記計算されたパワーヘッドルームを報告するステップと
を備えることを特徴とする方法。
【請求項３０】
搬送波ごとの前記最大電力を計算するステップは、
【数２６】
0005581331.tif 000059
式２８に基づいており、ＢＷkは搬送波ｋに対する帯域幅であり、Ｋは搬送波の最大数であり、ＰCMAXは総最大送信電力であり、および、前記式２８は、ワイヤレス送信／受信ユニットにおけるすべての電力増幅器にわたるすべてのサブバンドまたは搬送波に対して使用されることを特徴とする請求項２９に記載の方法。
【請求項３１】
【数２７】
0005581331.tif 000060
になるように、Ωにおけるすべての搬送波ｋに対するＰCMAX_carrier（ｋ）の和がＰCMAXによって制限されることを特徴とする請求項３０に記載の方法。
【請求項３２】
搬送波ごとの前記最大電力を計算するステップは、
【数２８】
0005581331.tif 000061
式３０に基づいており、
ＢＷkは搬送波ｋに対する帯域幅であり、Ωmはアクティブ搬送波の集合であり、ＰCMAXは総最大送信電力であり、および、前記式３０は、ワイヤレス送信／受信ユニットにおけるすべての電力増幅器にわたるすべてのサブバンドまたは搬送波に対して、サブフレームｉにおいてアクティブグラントを有する搬送波のサブセットに対して使用されることを特徴とする請求項２９に記載の方法。
【請求項３３】
【数２９】
0005581331.tif 000062
になるように、Ωにおけるすべての搬送波ｋに対するＰCMAX_carrier（ｋ）の和がＰCMAXによって制限されることを特徴とする請求項３２に記載の方法。
【請求項３４】
搬送波グループ固有のパワーヘッドルームを報告するための方法であって、
前記搬送波グループにおける少なくとも１つの搬送波が有効なアップリンクグラントを有するという条件で、
【数３０】
0005581331.tif 000063
式３２にしたがって、グループパワーヘッドルームを計算するステップであって、ｍは搬送波グループ番号であり、ｉは前記搬送波グループにおける少なくとも１つの搬送波が有効なアップリンクグラントを有するサブフレームであり、Ωmは搬送波グループｍの搬送波の集合であり、ＰCMAX（ｍ）は搬送波グループｍに対する構成された最大許容ワイヤレス送信／受信ユニット（ＷＴＲＵ）送信電力であり、および、ＰPUSCH_UG（ｋ，ｉ）は、最大電力制限を課す前のサブフレームｉにおける搬送波ｋに対する送信電力である、ステップと、
前記計算されたパワーヘッドルームを報告するステップと
を備えることを特徴とする方法。
【請求項３５】
搬送波グループ固有のパワーヘッドルームを報告するための方法であって、
前記搬送波グループにおいて有効なアップリンクグラントを有する搬送波がないという条件で、
【数３１】
0005581331.tif 000064
式３３にしたがって、基準グラントを使用してグループパワーヘッドルームを計算するステップであって、
ｍは搬送波グループ番号であり、ｉは前記パワーヘッドルームが報告されることになるサブフレーム番号であり、Ωmは搬送波グループｍの搬送波の集合であり、ＰCMAX（ｍ）は搬送波グループｍに対する構成された最大許容ワイヤレス送信／受信ユニット（ＷＴＲＵ）送信電力であり、および、ＰPUSCH_REF（ｋ，ｉ）は、
【数３２】
0005581331.tif 000065
として定義され、
ｆ1_REF（＊）は基準搬送波固有のＷＴＲＵ送信電力の関数であり、ｎ≠ｋであり、搬送波ｎは有効なアップリンクグラントを有する搬送波の前記集合に属し、ａはセル固有のパラメータであり、ＰＬ（ｋ）は搬送波ｋについてのパスロス推定値であり、および、ｆ2_REF（＊）は基準搬送波固有のパスロスの関数である、ステップと、
前記計算されたパワーヘッドルームを報告するステップと
を備えることを特徴とする方法。
【請求項３６】
集合搬送波に対する搬送波固有のパワーヘッドルームを報告するための方法であって、
複数の集合搬送波から、有効なアップリンクグラントを有する第１の搬送波に対する第１の最大電力を判定するステップと、
前記第１の搬送波に対応する第１の送信電力を判定するステップと、
前記第１の搬送波に対する第１のパワーヘッドルームを計算するステップと、
前記複数の集合搬送波から、サブフレームｉにおいてＰＵＳＣＨ送信を有しない第２の搬送波に対する第２の最大電力を判定するステップと、
基準グラントを使用して前記第２の搬送波に対する第２のパワーヘッドルームを計算するステップと、
前記計算された第１および第２のパワーヘッドルームを報告するステップと
を備えることを特徴とする方法。
【請求項３７】
前記第１の搬送波は有効なアップリンクグラントを有し、および、前記第１の送信電力は最大電力制限を課す前の前記第１の搬送波に対する送信電力を備えることを特徴とする請求項３６に記載の方法。
【請求項３８】
前記第２の搬送波は有効なアップリンクグラントを有さないことを特徴とする請求項３６に記載の方法。
【請求項３９】
前記第２の搬送波についてのパスロス推定値、有効なアップリンクグラントを有する少なくとも１つの搬送波についてのパスロス、および、有効なアップリンクグラントを有する少なくとも１つの搬送波に対する送信電力に基づいて、基準送信電力を計算するステップをさらに備えることを特徴とする請求項３８に記載の方法。
【請求項４０】
所定の基準値を使用して基準送信電力を計算するステップをさらに備えることを特徴とする請求項３８に記載の方法。
【請求項４１】
有効なアップリンクグラントを有する少なくとも１つの搬送波の少なくとも１つのパラメータを使用して、基準送信電力を計算するステップをさらに備えることを特徴とする請求項３８に記載の方法。
【請求項４２】
前記第１の搬送波に対する前記第１の最大電力は、より上位のレイヤ構成によって事前定義されていることを特徴とする請求項３６に記載の方法。
【請求項４３】
前記第１のパワーヘッドルームを計算するステップは、前記第１の最大電力と前記第１の送信電力との間の差を判定するステップを備えることを特徴とする請求項３６に記載の方法。
【請求項４４】
前記第２のパワーヘッドルームを計算するステップは、第２の最大電力と前記第２の搬送波に対応する第２の送信電力との間の差を判定するステップを備えることを特徴とする請求項３６に記載の方法。
【発明の詳細な説明】
【技術分野】
【０００１】
本願は、ワイヤレス通信に関する。
【背景技術】
【０００２】
本開示は、ワイヤレス通信における、特に改良ロングタームエボリューション（ＬＴＥ−Ａ）に関するキャリアアグリゲーション（Ｃａｒｒｉｅｒ  Ａｇｒｅｇａｔｉｏｎ）のためのアップリンク（ＵＬ）パワーヘッドルーム（ＰＨ）のレポーティングに関する。パワーヘッドルームは、ワイヤレス送信／受信ユニット（ＷＴＲＵ）の最大送信電力と、現在のサブフレーム内での物理ＵＬ共用チャネル（ＰＵＳＣＨ）送信のための推定電力との差である。パワーヘッドルームレポート（ＰＨＲ）は、推定ＰＨを示すためにＷＴＲＵによって報告されるインデックスである。ＷＴＲＵは、拡張ノードＢ（ｅノードＢまたはｅＮＢ）にＰＨＲを送り、拡張サービスは、そのＰＨＲを使用し、サブフレームあたりどれだけ多くのＵＬ帯域幅をそのＷＴＲＵが使用可能であるか判定することができる。
【０００３】
より高いデータ転送速度とスペクトル効率を維持するために、３ＧＰＰロングタームエボリューション（ＬＴＥ）システムが３ＧＰＰリリース８（Ｒ８）に導入された。ＬＴＥをベースとする無線アクセスシステムの達成可能なスループット（回線容量）およびカバレージ（受信可能範囲サービスエリア）をさらに改善するために、またダウンリンク（ＤＬ）方向およびＵＬ方向でそれぞれ１Ｇｂｐｓおよび５００Ｍｂｐｓというインターナショナル・モービル・テレコミュニケーション・アドバンスド（ＩＭＴ−Ａｄｖａｎｃｅｄ：ＩＴＵにおける第４世代携帯電話の名称）の要件を満たすために、ＬＴＥ−Ａｄｖａｎｃｅｄ（ＬＴＥ−Ａ）が現在３ＧＰＰ標準化団体において研究されている。
【０００４】
ＬＴＥのＤＬ送信方式は、直交周波数分割多元接続（ＯＦＤＭＡ）エアインターフェース（無線インターフェース）に基づいている。ＬＴＥのＵＬ方向については、離散フーリエ変換−拡散ＯＦＤＭＡ（ＤＦＴ−Ｓ−ＯＦＤＭＡ）に基づくシングルキャリア（ＳＣ）送信が使用される。ＵＬにおけるシングルキャリア送信の使用は、ＯＦＤＭなどのマルチキャリア送信方式に比べて低いピーク電力対平均電力比（ＰＡＰＲ）または信号の（電力増幅器の非線形性に関連する）キュービックメトリック（ｃｕｂｉｃ  ｍｅｔｒｉｃ）によって動機付けられている。
【０００５】
柔軟に展開するために、ＬＴＥシステムは、１．４ＭＨｚ、３ＭＨｚ、５ＭＨｚ、１０ＭＨｚ、１５ＭＨｚ、または２０ＭＨｚのスケーラブル（拡張可能）な送信帯域幅をサポートしている。ＬＴＥシステムは、周波数分割複信（ＦＤＤ）モード、時分割複信（ＴＤＤ）モード、またはハーフデュプレックス（半二重）ＦＤＤモードで動作することができる。
【０００６】
ＬＴＥシステムでは、各無線フレーム（１０ｍｓ）が、１ｍｓの等しいサイズのサブフレーム１０個からなる。各サブフレームは、それぞれ０．５ｍｓの等しいサイズのタイムスロット２個からなる。タイムスロット（時間帯）あたり７個または６個のＯＦＤＭシンボル（標識信号）があり得る。７個のシンボルは、標準サイクリックプレフィックス（ｎｏｒｍａｌ  ｃｙｃｌｉｃ  ｐｒｅｆｉｘ）長で使用され、代替システム構成におけるタイムスロットあたり６個のシンボルは、拡張サイクリックプレフィックス（ｅｘｔｅｎｄｅｄ  ｃｙｃｌｉｃ  ｐｒｅｆｉｘ）長で使用することができる。ＬＴＥシステムのための副搬送波間隔は、１５ｋＨｚである。また、７．５ｋＨｚを使用する代替の縮小副搬送波間隔モードも可能である。リソース要素（ＲＥ）は、１つのＯＦＤＭシンボル間隔中の１つの副搬送波にちょうど対応する。０．５ｍｓタイムスロット中の１２個の連続する副搬送波が、１つのリソースブロック（ＲＢ）を構成する。したがって、タイムスロットあたり７個のシンボルの場合、各ＲＢは、１２×７＝８４個のＲＥからなる。ＤＬ搬送波（ＤＬキャリアとも称する）は、最小６個のリソースブロック（ＲＢ）から最大１１０個のＲＢまでに及ぶ、拡縮可能な数のＲＢからなることができる。これは、およそ１ＭＨｚから２０ＭＨｚまでの拡縮可能な送信帯域幅全体に対応するが、通常、１組の共通の送信帯域幅、たとえば１．４ＭＨｚ、３ＭＨｚ、５ＭＨｚ、１０ＭＨｚ、１５ＭＨｚ、または２０ＭＨｚが指定される。ＬＴＥにおける動的スケジューリングのための基本的な時間領域（タイムドメイン）単位は、２つの連続するタイムスロットからなる１つのサブフレームである。これはＲＢ対と呼ばれる。いくつかのＯＦＤＭシンボル上のある副搬送波が、時間−周波数グリッド内でパイロット信号を担持するように割り当てられる。送信帯域幅のエッジにある所与の数の副搬送波は、スペクトルマスク要件を遵守するために送信されない。
【０００７】
ＤＬ方向では、送信帯域幅全体にわたってどこでもそのデータを受信できるように、ＷＴＲＵを、ｅノードＢによって割り当てることができ、たとえばＯＦＤＭＡ方式が使用される。ＤＬは、スペクトルの中央に未使用の直流（ＤＣ）オフセット副搬送波を有する。
【０００８】
ＵＬ方向では、ＬＴＥはＤＦＴ−Ｓ−ＯＦＤＭＡ、または同等にＳＣ−ＦＤＭＡ送信に基づいている。その目的は、ＯＦＤＭＡ送信フォーマットに比べて低いＰＡＰＲを達成することである。概念上、ＬＴＥのＤＬ方向では、ＷＴＲＵはＬＴＥ送信帯域幅全体における周波数領域にわたってどこでもその信号を受信することができるが、ＵＬでのＷＴＲＵは、ＦＤＭＡ構成で、割り当てられた副搬送波の、限られた連続するセット上でのみ送信することができる。この原理は、シングルキャリア（ＳＣ）ＦＤＭＡと呼ばれる。たとえば、ＵＬにおけるＯＦＤＭ信号またはシステム帯域幅全体が１番から１００番の副搬送波で構成されている場合、第１のＷＴＲＵは、副搬送波１〜１２上でそれ自体の信号を送信するように割り当てられる可能性があり、第２のＷＴＲＵは、副搬送波１３〜２４上で送信することができ、以下同様である。ｅノードＢは、１つまたは複数のＷＴＲＵから同時に、送信帯域幅全体にわたって複合ＵＬ信号を受信するが、各ＷＴＲＵは、使用可能な送信帯域幅のサブセット内にのみ送信することができる。したがって、原理上、ＬＴＥにおけるＤＦＴ−Ｓ−ＯＦＤＭＡは、ＷＴＲＵに割り当てられる時間−周波数リソースが１組の周波数の連続する副搬送波からなるという追加の制約を有する従来の形態のＯＦＤＭ送信と見ることができる。ＬＴＥのＵＬには、（ＤＬとは異なり）ＤＣ副搬送波がない。１つの動作モードにおいて、ＷＴＲＵによるＵＬ送信に周波数ホッピングを適用することができる。
【０００９】
ＬＴＥ−Ａに対して提案されている１つの改良は、キャリアアグリゲーション、および柔軟な帯域幅のサポートである。これらの変更に関する１つの動機は、ＤＬおよびＵＬ送信帯域幅がＲ８  ＬＴＥの最大２０ＭＨｚを超えることができるようにすること、たとえば４０ＭＨｚ帯域幅を可能にすることである。第２の動機は、使用可能な対のスペクトルをより柔軟に使用することを可能にすることである。たとえば、Ｒ８  ＬＴＥは、対称的な対のＦＤＤモードで動作するように制限されており、たとえば、ＤＬとＵＬは共に、それぞれ送信帯域幅において１０ＭＨｚまたは２０ＭＨｚであるが、ＬＴＥ−Ａは、ＤＬ１０ＭＨｚとその対のＵＬ５ＭＨｚなど、非対称構成で動作することができる。さらに、ＬＴＥ−Ａの場合、複合アグリゲート送信帯域幅、たとえばＤＬにおいて第１の２０ＭＨｚ搬送波および第２の１０ＭＨｚ搬送波と、その対のＵＬ２０ＭＨｚ搬送波なども可能とすることができる。複合アグリゲート送信帯域幅は、必ずしも周波数領域において連続的でなくてもよく、たとえば、上記の例における第１の１０ＭＨｚコンポーネントキャリアは、ＤＬ帯域において第２の５ＭＨｚのＤＬコンポーネントキャリアから２２．５ＭＨｚ離隔されてもよい。あるいは、連続アグリゲート送信帯域幅での動作も可能とすることができ、たとえば、２０ＭＨｚの第１のＤＬコンポーネントキャリアが、連続する１０ＭＨｚＤＬコンポーネントキャリアと集合され（アグリゲートされ、とも称する）、２０ＭＨｚのＵＬ搬送波と対にされる。
【００１０】
ＬＴＥ−Ａキャリアアグリゲーション、および柔軟な帯域幅のサポートのための異なる構成の例が図１に示されている。図１ａは、３つのコンポーネントキャリアを示しており、そのうちの２つが連続的なものであり、第３のものが連続的でない。図１ｂおよび図１ｃは、共に３つの連続コンポーネントキャリアを示す。集合コンポーネントキャリア（アグリゲート化コンポーネントキャリアとも称する）を組み込むためにＬＴＥ  Ｒ８送信構造／フォーマットを拡張するための２つの選択肢がある。１つの選択肢は、ＤＦＴプリコーダをアグリゲート帯域幅、たとえば図１ｂ、および図１ａの右側に示されているように信号が連続的である場合、コンポーネントキャリアすべてにわたって適用することである。第２の選択肢は、図１ｃに示されているように、コンポーネントキャリア１つだけについてＤＦＴプリコーダ（ｐｒｅｃｏｄｅｒ）を適用することである。図１ｃに示されているように、異なる搬送波が異なる変調方式と符号化方式の組合せ（ＭＣＳ、すなわち搬送波固有のＭＣＳ）を有することができることに留意されたい。
【００１１】
Ｒ８  ＬＴＥシステムのＵＬ方向では、ＷＴＲＵがそれぞれのデータ（および場合によってはそれぞれの制御情報）をＰＵＳＣＨ上で送信する。ＰＵＳＣＨ送信は、ＵＬスケジューリンググラント（ＵＬ  ｓｃｈｅｄｕｌｉｎｇ  ｇｒａｎｔ)を使用してｅノードＢによってスケジューリングおよび制御され、ＵＬスケジューリンググラントは、物理ＤＬ制御チャネル（ＰＤＣＣＨ）フォーマット０上で担持される。ＵＬスケジューリンググラントの一部として、ＷＴＲＵは、変調方式と符号化方式の組合せ（ＭＣＳ）、送信電力制御（ＴＰＣ）コマンド、ＵＬリソース割当て（すなわち、割り当てられたリソースブロックのインデックス）などを含む制御情報を受け取る。ＷＴＲＵは、そのＰＵＳＣＨを、割り当てられたＵＬリソース上で、対応するＭＣＳを用いて、ＴＰＣコマンドによって制御される送信電力で送信する。
【００１２】
ＵＬのＷＴＲＵ送信をスケジューリングするために、ｅノードＢのスケジューラは、あるリソース割当てのために適切なトランスポートフォーマット（すなわち、ＭＣＳ）を選択する必要がある。このために、スケジューラは、スケジューリングされたＷＴＲＵに関してＵＬリンク品質を推定することができる必要がある。
【００１３】
これは、ｅノードＢがＷＴＲＵの送信電力についての認識を必要とする。ＬＴＥでは、推定ＷＴＲＵ送信電力は、ＤＬパスロス（ｐａｔｈ  ｌｏｓｓ:伝搬損失とも称する）のＷＴＲＵの推定値を除いてｅノードＢが式内のすべての成分について認識しているある式に従って計算される。ＬＴＥでは、ＷＴＲＵは、そのＤＬパスロスを測定し、それをＰＨ測定報告量（ＰＨ  ｍｅａｓｕｒｅｍｅｎｔ  ｒｅｐｏｒｔｉｎｇ  ｑｕａｎｔｉｔｙ）の形態でｅノードＢについて報告する。これは、適切なＵＬスケジューリングを実施するためにノードＢについても報告される、広帯域符号分割多元接続（ＷＣＤＭＡ）リリース６におけるＰＨ報告の概念と同様である。
【００１４】
ＬＴＥでは、ＰＨ報告手順を使用し、（正のＰＨ値の場合）、ＷＴＲＵの送信電力と最大ＷＴＲＵ送信電力との差についての情報を、サービングｅノードＢに提供する。この情報はまた、ＵＬ電力制御式に従って計算されたＷＴＲＵ送信電力が最大ＷＴＲＵ送信電力を超えたとき（負のＰＨ値の場合）、最大ＷＴＲＵ送信電力とその計算されたＷＴＲＵ送信電力との差を含むことができる。
【００１５】
上述のように、ＬＴＥではシングルコンポーネントキャリアが使用され、したがって、ＷＴＲＵのＰＨの定義は、１つの搬送波に基づいている。サブフレームｉでのＰＵＳＣＨ送信のためのＷＴＲＵ送信電力ＰPUSCHは、
PPUSCH(i)=min{PCMAX,10log10(MPUSCH(i))＋P0_PUSCH(j)＋α(j)×PL＋ΔTF(i)＋f(i)}   式（１）
によって定義される。
【００１６】
上式でＰCMAXは、設定された最大許容ＷＴＲＵ送信電力である。ＰCMAXは、ＷＴＲＵパワークラス（最大出力での区分わけ）、許容差（交差、許容値ともいう）および調整、ならびにｅノードＢによってＷＴＲＵにシグナリングされる最大許容送信電力に依存する。
【００１７】
ＭPUSCH（ｉ）は、サブフレームｉに対して有効なリソースブロックの数で表されたＰＵＳＣＨリソース割当ての帯域幅である。
【００１８】
Ｐ0_PUSCH（ｊ）は、セル固有の公称成分Ｐ0_NOMINAL_PUSCH（ｊ）とＷＴＲＵ固有の成分Ｐ0_UE_PUSCH（ｊ）の和である。Ｐ0_NOMINAL_PUSCH（ｊ）は、ｊ＝０およびｊ＝１について、［−１２６，２４］ｄＢｍの範囲において１ｄＢ分解能で、より上位の層からシグナリングされ、Ｐ0_UE_PUSCH（ｊ）は、ｊ＝０およびｊ＝１について、［−８，７］ｄＢの範囲において１ｄＢ分解能で、無線リソース制御（ＲＲＣ）によって構成される。設定されたスケジューリンググラントに対応するＰＵＳＣＨ（再）送信についてはｊ＝０であり、新しいパケット送信に関連する、ＤＣＩフォーマット０を有する受信されたＰＤＣＣＨに対応するＰＵＳＣＨ（再）送信についてはｊ＝１である。ランダムアクセス応答グラントに対応するＰＵＳＣＨ（再）送信についてはｊ＝２である。Ｐ0_UE_PUSCH（２）＝０であり、Ｐ0_NOMINAL_PUSCH（２）＝Ｐ0_PRE＋ΔPREAMBLE_Msg3であり、この式でＰ0_PREおよびΔPREAMBLE_Msg3は、より上位の層からシグナリングされる。
【００１９】
Ｊ＝０または１について、α∈｛０，０．４，０．５，０．６，０．７，０．８，０．９，１｝は、より上位の層から提供される３ビットのセル固有のパラメータである。Ｊ＝２については、α（ｊ）＝１である。
【００２０】
ＰＬは、ＷＴＲＵによって計算されるＤＬパスロス推定値である。
【００２１】
ＫS＝１．２５について
【００２２】
【数１】
0005581331.tif 000002
【００２３】
であり、ＫS＝０についてΔTF（ｉ）＝０であり、この式で、ＫSは、ＲＲＣによって与えられるＷＴＲＵ固有のパラメータである。ＵＬ共用チャネル（ＵＬ−ＳＣＨ）データなしでＰＵＳＣＨを介して送られる制御データについて
【００２４】
【数２】
0005581331.tif 000003
【００２５】
であり、この式で、ＯCQIは、ＣＲＣビットを含めて、ＣＱＩビットの数であり、ＮREは、リソース要素の数である。他の場合については
【００２６】
【数３】
0005581331.tif 000004
【００２７】
であり、この式で、Ｃは、コードブロックの数であり、Ｋrは、コードブロックｒのためのサイズである。ＵＬ−ＳＣＨなしでＰＵＳＣＨを介して送られる制御データについて
【００２８】
【数４】
0005581331.tif 000005
【００２９】
であり、他の場合については
【００３０】
【数５】
0005581331.tif 000006
【００３１】
である。
【００３２】
ＴＰＣコマンドの累積が、より上位の層によって提供されるＷＴＲＵ固有のパラメータＡｃｃｕｍｕｌａｔｉｏｎ−ｅｎａｂｌｅｄに基づいて使用可能にされていない場合、ｆ（ｉ）＝δPUSCH（ｉ−ＫPUSCH）である。δPUSCHは、ＴＰＣコマンドとも呼ばれるＷＴＲＵ固有の修正値であり、ＰＤＣＣＨ内でＷＴＲＵにシグナリングされる。ＫPUSCHは、現在のサブフレームｉ内のｆ（ｉ）の値が現在のサブフレームｉよりＫPUSCHフレーム前に受信されたδPUSCH値であるようなサブフレームオフセットである。ＦＤＤについてはＫPUSCH＝４であり、ＴＤＤについては、ＫPUSCHの値は変動する。
【００３３】
サブフレームｉについてのＷＴＲＵ  ＰＨは、
PH(i)=PCMAX-{10log10(MPUSCH(i))＋P0_PUSCH(j)＋α(j)×PL＋ΔTF(i)＋f(i)}        式（２）
によって定義される。
【００３４】
どの最大送信電力制限をも考慮しない、ＵＬスケジューリンググラント（無線ベアラ（ＲＢ）割当て、ＭＣＳ、および電力制御コマンドを含む）によって必要とされる、サブフレームｉ内のＰＵＳＣＨについてのＷＴＲＵ送信電力は、ＰPUSCH_UG（ｉ）として示され、
PPUSCH_UG(i)=10log10(MPUSCH(i))＋P0_PUSCH(j)＋α(j)×PL＋ΔTF(i)＋f(i)        式（３）
として定義される。
【００３５】
したがって、式１におけるＰＵＳＣＨ上の実際のＷＴＲＵ送信電力は、
ＰPUSCH（ｉ）＝ｍｉｎ｛ＰCMAX，ＰPUSCH_UG（ｉ）｝        式（１）
と書き換えることができる。
【００３６】
式２におけるＬＴＥについてのＰＨ式は、
ＰＨ（ｉ）＝ＰCMAX−ＰPUSCH_UG（ｉ）        式（５）
と書き換えることができる。
【００３７】
ＬＴＥにおけるＰＨの既存の定義は、Ｒ８  ＬＴＥによって提供されるＳＣ−ＦＤＭＡ（またはＤＦＴ−Ｓ−ＯＦＤＭＡ）エアインターフェースの特定の場合のために設計されている。したがって、その定義は、特に１つのコンポーネントキャリアだけに当てはまり、ＷＴＲＵによって、そのＵＬ方向全体について、また単一の多元接続方式（１つの送信アンテナＳＣＦＤＭＡ）について１つの値が測定され報告されることになるにすぎない。しかし、この手法は、キャリアアグリゲーション、新しい多元接続方式、ＭＩＭＯ方式を使用する、または柔軟な帯域幅構成で動作するときのＬＴＥ−Ａシステムであって、ＷＴＲＵに対してＵＬ送信を適切な送信電力レベルでスケジューリングおよび割当てするために、ｅノードＢが複数のコンポーネントキャリアおよび／または複数の電力増幅器（ＰＡ）についてＰＨ情報を知る必要がある、ＬＴＥ−Ａシステムには適用可能でない。
【００３８】
たとえば、３つの搬送波がＬＴＥ−Ａシステムで集合され使用されているとする。ＷＴＲＵは、異なる搬送波上で異なる最大送信電力を有することも、異なる搬送波上で異なる送信電力レベルを引き起こす異なるパスロス値および／または開ループ電力制御パラメータを有することもある。１つのサブフレームでは、ｅノードＢは、２つの搬送波（たとえば、搬送波１および搬送波２）上で送信するようにＷＴＲＵをスケジューリングすることができる。これらの２つの搬送波が異なる送信電力を有することを考えると、単一のＰＨ値は、２つの搬送波のそれぞれにおける、ＷＴＲＵの最大送信電力と（電力制御式に従って）計算された送信電力との差を示すことはできないことになる。さらに、ｅノードＢが搬送波３上で将来のＵＬ送信をスケジューリングしたいと望むとき、搬送波３に関するＰＨ情報はわからないことになる（ＬＴＥの概念によれば、ＰＨが報告されない可能性があるからである）。搬送波３が搬送波１および搬送波２と連続していない場合、搬送波３上のＤＬパスロスは、搬送波１および搬送波２上のＰＨから確実に導出することができない。不連続キャリアアグリゲーションにおけるパスロス差は、７ｄＢまたは９ｄＢ超など、大きなものとなり得る。これにより、ｅノードＢがＵＬ送信を、最適化された電力レベルでスケジューリングすることは困難になる。というのは、ＷＴＲＵによって測定および報告されるＰＨ値が、そのＷＴＲＵに割り当てられたＵＬ搬送波すべてに等しく有効な、代表的なメトリックでないからである。
【発明の概要】
【発明が解決しようとする課題】
【００３９】
既存の、報告されるＰＨ値が複数の搬送波に対処するのに十分でないことに加えて、ＰＨ報告に関するシグナリングもまた不十分である。ＬＴＥシステムでは、セル帯域幅全体に対するＷＴＲＵによる単一値ＰＨＲの送信は、周期的（ＰＥＲＩＯＤＩＣ＿ＰＨＲ＿ＴＩＭＥＲによって制御される）、最後のＰＨＲ以来、パスロスがＤＬ＿ＰａｔｈｌｏｓｓＣｈａｎｇｅ  ｄＢを超えて変化し、最後のレポート以来、予め定義された時間が経過した場合（ＰＲＯＨＩＢＩＴ＿ＰＨＲ＿ＴＩＭＥＲによって制御される）、または周期的なＰＨＲの構成および再構成時のうちの１つでトリガされる。ＰＨＲを送信することができるときまでに複数のイベントが発生した場合でさえ、１つのＰＨＲしかＭＡＣプロトコルデータユニット（ＰＤＵ）に含まれない。
【００４０】
キャリアアグリゲーションを組み込んでいるＬＴＥ−Ａシステムにおいて複数の搬送波がＷＴＲＵに割り当てられるとき、代表的なＰＨ情報を推定および報告するための方法および手順が求められている。さらに、ＰＨ情報の送信およびシグナリングもまた、ＬＴＥ−Ａにおける効率的なＰＨ報告をサポートするように対処されることが求められている。
【課題を解決するための手段】
【００４１】
パワーヘッドルームを報告するための方法が開示される。パワーヘッドルームは、搬送波全部（広帯域）にわたって、特定の搬送波について、または搬送波群について報告することができる。パワーヘッドルームを計算するために使用される式は、搬送波（または搬送波群内の搬送波）が有効なアップリンクグラントを有するかどうかに依存する。搬送波または搬送波群が有効なアップリンクグラントを有していない場合、パワーヘッドルームは、基準グラントに基づいて計算されてもよい。パワーヘッドルームは、ワイヤレス送信／受信ユニットによって計算され、ｅノードＢに報告される。
【００４２】
より詳細な理解を、添付の図面と共に、例として与えられている以下の説明から得ることができる。
【図面の簡単な説明】
【００４３】
【図１ａ】ＬＴＥ−Ａキャリアアグリゲーションのための様々な構成例を示す図である。
【図１ｂ】ＬＴＥ−Ａキャリアアグリゲーションのための様々な構成例を示す図である。
【図１ｃ】ＬＴＥ−Ａキャリアアグリゲーションための様々な構成例を示す図である。
【図２】広帯域ＰＨ報告のための方法の流れ図である。
【図３】搬送波固有のＰＨ報告または搬送波群固有のＰＨ報告のための方法の流れ図である。
【図４】ＬＴＥワイヤレス通信システム／アクセスネットワークを示す図である。
【図５】図４のワイヤレス通信システムの典型的なブロック図である。
【発明を実施するための形態】
【００４４】
「ワイヤレス送信／受信ユニット（ＷＴＲＵ）」という用語は、以下で参照されたとき、それだけには限らないが、ユーザイクイップメント（ＵＥ）、移動局、固定型もしくは移動型加入者ユニット、ページャ、セルラ電話、個人用の携帯情報端末（ＰＤＡ）、コンピュータ、またはワイヤレス環境内で動作することが可能な任意の他のタイプのユーザデバイスを含む。「基地局」という用語は、以下で参照されたとき、それだけには限らないが、ｅノードＢ、サイトコントローラ、アクセスポイント（ＡＰ）、またはワイヤレス環境内で動作することが可能な任意の他のタイプのインターフェース用デバイスを含む。
【００４５】
ＷＴＲＵの最大送信電力は、ＷＴＲＵパワークラス定義、より上位の層構成によって提供される１つまたは複数の許容値、またはＷＴＲＵのＰＡ（１つまたは複数）による制限の任意の組合せによって制限される可能性がある。ｅノードＢは、より上位の層のシグナリング（たとえば、ＲＲＣシグナリング）を使用して、最大ＷＴＲＵ送信電力を、搬送波あたり、搬送波群あたり、または搬送波すべてについて構成することができる。
【００４６】
搬送波群に関して、１つのグループ化方法は、連続する搬送波が共にグループ化されるようにするものである。第２の方法は、複数の搬送波が同じＰＡを共用しているとき、それらの搬送波をグループとすることができるようにするものである。ＷＴＲＵが、異なるＵＬ搬送波を制御する異なるＰＡを有する場合には、ＷＴＲＵは、最初のネットワークアクセス（ＲＲＣ接続設定）時、ハンドオーバ（ＲＲＣ接続再設定）時、または他のＲＲＣ再確立イベント時に、搬送波とのＰＡ関連付け（ＰＡアソシェーションとも称する）を報告することが必要となり得る。
【００４７】
あるいは、搬送波とのＰＡ関連付け（すなわち、ＣＣ対ＰＡマッピング）は、そのマッピングがｅノードＢ内で決定される場合、より上位の層のシグナリングを介して、ｅノードＢによって提供されてもよい。たとえば、ＷＴＲＵがＬ個のＰＡ（ただしＬ≧１）を使用してＪ個のコンポーネントキャリア（ＣＣ）（ただしＪ≧１）上で送信する場合を考えてみる。Ｊ個のＣＣ対Ｌ個のＰＡのマッピングは、そのマッピングがＷＴＲＵ内で決定される場合、ＷＴＲＵによってｅノードＢにシグナリングすることができる。あるいは、このマッピングは、そのマッピングがｅノードＢ内で決定される場合、ｅノードＢによってＷＴＲＵにシグナリングされてもよい。あるいは、このマッピングは、ＷＴＲＵ種類および／または搬送波割当てなど構成の機能に応じた、予め定義された規則に基づいて、ＷＴＲＵとｅノードＢによって独立に導出されてもよい。ＷＴＲＵにおけるＰＡの数は、たとえばＷＴＲＵによってＷＴＲＵ能力情報の一部としてシグナリングされるＷＴＲＵ種類情報からｅノードＢによって導出可能なものとすることができる。あるいは、ＷＴＲＵは、ＰＡの数およびそれらの特性、たとえば最大送信電力をｅノードＢに明示的にシグナリングすることができる。
【００４８】
ＰＨを定義および計算することは、ＷＴＲＵ最大送信電力と、特定の搬送波について、または別個のＰＡに関連付けられた搬送波にわたって、または搬送波全部にわたって定義することができるＵＬ電力制御式に従って計算されたＷＴＲＵ送信電力との差を反映することを必要とする。最大送信電力制限について３つの基本的なシナリオが定義されている。これらのシナリオのそれぞれについて、ＰＨを計算および報告するための方法が提供される。ＰＨ計算および報告は、ＷＴＲＵによって実施される。
【００４９】
シナリオ１
すべての集合搬送波（アグリゲート化キャリアとも称する）上のＷＴＲＵの送信電力の和が、予め定義された、かつ／または設定された最大送信電力ＰCMAXの対象である。ＬＴＥの場合と同様に、ＰCMAXは、ＷＴＲＵパワークラス、許容差および調整、ならびにｅノードＢによってＷＴＲＵにシグナリングされる最大許容送信電力（おそらくは搬送波群あたり）の何らかの組合せに依存する可能性がある。このシナリオは、すべての集合搬送波上のＷＴＲＵ送信信号増幅／電力を制御する無線周波数（ＲＦ）ＰＡが１つだけある場合、または最大送信電力が、より上位の層のシグナリングによって搬送波すべてについて構成される場合に対応することができる。このシナリオでは、すべての集合搬送波上のＷＴＲＵの送信電力の和が、ＰCMAXに制限される。
【００５０】
方法１．Ａ
この方法では、サブフレームｉ内のＷＴＲＵについての広帯域ＰＨが
【００５１】
【数６】
0005581331.tif 000007
【００５２】
として定義される。
【００５３】
上式で、ｋは、ｋ＝１，．．．，Ｋの範囲にある搬送波番号であり、Ωは、アクティブ搬送波（活動状態の搬送波）の集合（それぞれがサブフレームｉについてのＵＬグラント（ＵＬ送信許可）を有する）であり、ＰPUSCH_UG（ｋ，ｉ）は、電力制限を考慮する前に、サブフレームｉ内で、搬送波ｋ上で送信されるＰＵＳＣＨに関する送信電力である。ＰＨは、ＷＴＲＵに対する現在のＵＬグラント（１つまたは複数）（異なるＵＬグラントが異なる搬送波に割り当てられる可能性がある）に基づいて、特定の送信についてＷＴＲＵによって計算される。
【００５４】
ＷＴＲＵにとって使用可能な帯域幅の量、または変調方式と符号化方式の組合せ（ＭＣＳ）レベルを増大または減少させることによってｅノードＢがＵＬグラントを変更するとき、ｅノードＢは、報告されたＰＨに基づいてＷＴＲＵの使用可能な電力を知る。この広帯域ＰＨ報告には、単一の値を報告することによってシグナリングオーバーヘッドを最小限に抑えるという利点がある。
【００５５】
方法１．Ｂ
この方法では、搬送波あたりのＰＨが定義される。サブフレームｉ内の有効なＵＬグラントを有する（したがってＰＵＳＣＨ送信を有する）各ＵＬ搬送波ｋについて、そのＰＨは、
ＰＨ（ｋ，ｉ）＝ＰCMAX_carrier（ｋ）−ＰPUSCH_UG（ｋ，ｉ）        式（７）
として定義される。
【００５６】
上式で、ＰCMAX_carrier（ｋ）は、ｋ番目の搬送波の、設定された最大ＷＴＲＵ送信電力であり、
【００５７】
【数７】
0005581331.tif 000008
【００５８】
または
【００５９】
【数８】
0005581331.tif 000009
【００６０】
として定義することができる。
【００６１】
上式で、ＢＷkは、搬送波ｋについての帯域幅である。式７ａにおけるＰCMAX_carrier（ｋ）の定義は、ＷＴＲＵのＰＡ全部にわたってすべてのサブバンドまたは搬送波（ｋ＝１，．．．，K）に使用される。式７ｂにおけるＰCMAX_carrier（ｋ）の定義は、たとえば同じＰＡを共用する搬送波のサブセット（すなわち、集合Ω内の搬送波）に使用される。各搬送波が同じ帯域幅を有するとき、ＰCMAX_carrier（ｋ）は、当該の搬送波すべてについて同一である。あるいは、ＰCMAX_carrier（ｋ）は、各搬送波ｋについて異なるように、または独立に構成されてもよいが、すべての搬送波ｋ、またはΩ内のｋについてのＰCMAX_carrier（ｋ）の和は、総最大送信電力ＰCMAXの対象であり、すなわち、式（７ａ）について
【００６２】
【数９】
0005581331.tif 000010
【００６３】
、および式（７ｂ）について
【００６４】
【数１０】
0005581331.tif 000011
【００６５】
である。あるいは、ＰCMAX_carrier（ｋ）は、簡単にするために、ｋすべてについて一定の値に設定されてもよい。
【００６６】
上述のように、ＰＨは、各ＵＬコンポーネントキャリアについてＷＴＲＵに与えられた現在のＵＬグラントに基づいて、ＷＴＲＵによって計算されてもよく、このＵＬグラントは、ｅノードＢによってＷＴＲＵに提供される。式７がこの場合である。あるいは、現在のグラントが与えられていない場合、代わりに最近または最新のＵＬグラントを同じ式内で使用することができる。あるいは、ＰＨは、実際のグラントに基づくのではなく、基準ＵＬスケジューリンググラントを使用することによって計算されてもよい。たとえば、ＰＨRG（ｋ，ｉ）＝ＰCMAX_carrier（ｋ）−ＰPUSCH_RG（ｋ，ｉ）であり、この式で、ＰPUSCH_RG（ｋ，ｉ）は、ＵＬ送信が行われる搬送波ｋ内の基準グラント割当てに基づいて決定することができる送信電力である。基準グラントは、ＰＨを報告するとき使用する基準としてＷＴＲＵとｅノードＢが事前に合意している（たとえば、予め定義されている、シグナリングされる）と仮定したものである。
【００６７】
ＵＬグラントを有していない各ＵＬ搬送波ｋについて、ＷＴＲＵは、任意選択でそのＰＨを報告することができ、そのＰＨは、以下のように基準グラントパラメータ（ＰＵＳＣＨ割当て、トランスポートフォーマットなど）に基づいて決定される。
ＰＨ（ｋ，ｉ）＝ＰCMAX_carrier（ｋ）−ＰPUSCH_REF（ｋ，ｉ）        式（８）
【００６８】
上式で、ＰPUSCH_REF（ｋ，ｉ）は
ＰPUSCH_REF（ｋ，ｉ）＝ｆ1_REF（ＰPUSCH_REF（ｎ，ｉ））＋α×（ＰＬ（ｋ）−ｆ2_REF（ＰＬ（ｎ）））        式（９）
として定義される。
【００６９】
上式で、ｎ≠ｋであり、搬送波ｎは、有効なアップリンクグラントを有する搬送波の集合に属する。αは、セル固有のパラメータである。ＰＬ（ｋ）は、搬送波ｋ上の、ＷＴＲＵによって計算されるパスロス推定値である。異なる搬送波間のパスロスの分散が著しく異ならない場合（たとえば、１ｄＢ未満）、簡単にするために、これらの搬送波について単一のＰＬ値を使用することができる。搬送波ｎは、有効なＵＬグラントを有する搬送波の集合に属し、ｆ1_REF（＊）は、基準用の搬送波固有のＷＴＲＵ送信電力の関数であり、ｆ2_REF（＊）は、基準用の搬送波固有のパスロスの関数である。基準関数は、それだけには限らないが、固定の値の基準、有効なＵＬグラントを有するＵＬ搬送波のうちの１つのパラメータ、または有効なＵＬグラントを有するＵＬ搬送波すべてのパラメータの平均値、のうちのいずれか１つとすることができる。
【００７０】
方法１．Ｃ
この方法では、搬送波のグループあたりのＰＨが定義される。具体的には、連続する搬送波、または同じＰＡを共用する搬送波を共にグループ化することができる。搬送波群ｍが、Ωmとして示される搬送波の集合を有するとする。グループ内の搬送波のうちの少なくとも１つについてＵＬグラントを有する各ＵＬ搬送波群ｍについて、そのＰＨは、
【００７１】
【数１１】
0005581331.tif 000012
【００７２】
として定義される。
【００７３】
上式で、ＰCMAX_carrier（ｋ）は、式７ａまたは式７ｂの場合と同様に定義される。有効なＵＬグラントのない特定の搬送波について、その送信電力はゼロとすることができる（すなわち、サブフレームｉ内でＵＬグラントを有していない搬送波ｋについてＰPUSCH_UG（ｋ，ｉ）＝０である）。
【００７４】
グループ内のどの搬送波についてもＵＬグラントを有していない各ＵＬ搬送波群ｍについて、その搬送波群に関するＰＨは、基準グラントパラメータに基づいて決定および報告されてもよい。すなわち、
【００７５】
【数１２】
0005581331.tif 000013
【００７６】
典型的には、搬送波群固有のＰＨ報告は、グループ内の搬送波が連続的であり（またおそらくは同様のＵＬグラントを有し）、その結果、それらの送信電力レベルが互いに近い（ＰＨ値が互いに同様のものになる）場合に使用することができる。搬送波群固有のＰＨ報告の場合、ＰＨ報告オーバーヘッドは、搬送波固有のＰＨ報告の場合よりも小さい。
【００７７】
方法１．Ｄ
広帯域と搬送波（または搬送波群）固有の方法とを組合せて使用することができる。たとえば、広帯域ＰＨおよび搬送波固有のＰＨ値を報告すること、および広帯域ＰＨおよび搬送波群固有のＰＨ値を報告することである。
【００７８】
組合せ報告には利点があることがあり、それはｅノードＢ内での通信の性質によって決まる。各搬送波が、おそらくはそれ自体のＵＬグラントを用いて別々に送信される場合、（広帯域ＰＨレポートを介して）総送信電力測定値を、（ＣＣ固有のＰＨレポートを介して）搬送波固有の送信電力測定値と共に提供するという利点があり得る。組合せレポートを使用することにより、ｅノードＢは、この情報を、ｅノードＢ内でのＰＨレポートの追加の内部処理を必要とすることなしに得ることができる。ｅノードＢは、ＷＴＲＵがどのようにＰＨを報告するか（たとえば、広帯域ＰＨ、搬送波ごとのＰＨ、搬送波群ごとのＰＨ、またはそれらの組合せを報告すること）に関して各ＷＴＲＵを構成することができる。
【００７９】
シナリオ２
搬送波群ｍ上の総ＷＴＲＵ送信電力が、予め定義された、かつ／または設定された最大送信電力ＰCMAX（ｍ）の対象であり、ここでＰCMAX（ｍ）は、搬送波群ｍについての設定された最大許容ＷＴＲＵ送信電力（単位ｄＢｍ）である。ＰCMAX（ｍ）は、ＷＴＲＵパワークラス、許容差および調整、ならびにｅノードＢによってＷＴＲＵにシグナリングされる最大許容送信電力（おそらくは搬送波群あたり）の何らかの組合せに依存する可能性がある。搬送波群は、１つまたは複数の搬送波からなることができる。いくつかの搬送波が搬送波群として構成される１つの理由は、複数の搬送波が１つのＲＦ  ＰＡに関連付けられている場合である。あるいは、搬送波のグループ化は、たとえば、搬送波−ＰＡ関連付けにかかわらず、より上位の層のシグナリングを介してｅノードＢによって構成されてもよい。
【００８０】
Ωmが搬送波群ｍ内の搬送波の集合を示すものとする。有効なＵＬグラントのない特定の搬送波について、その送信電力はゼロとすることができる（すなわち、サブフレームｉ内でＵＬグラントを有していない搬送波ｋについてＰPUSCH_UG（ｋ，ｉ）＝０である）。
【００８１】
方法２．Ａ
この方法では、サブフレームｉ内のＷＴＲＵについての広帯域ＰＨが
【００８２】
【数１３】
0005581331.tif 000014
【００８３】
または
【００８４】
【数１４】
0005581331.tif 000015
【００８５】
として定義される。
【００８６】
あるいは、
【００８７】
【数１５】
0005581331.tif 000016
【００８８】
または
【００８９】
【数１６】
0005581331.tif 000017
【００９０】
である。
【００９１】
上式で、Ｍは搬送波群の数である。
【００９２】
ＷＴＲＵは、任意選択で、ＵＬグラントのない搬送波について広帯域ＰＨを報告することができ、このＰＨは、ＰＨWB_NG（ｉ）として示される。
【００９３】
【数１７】
0005581331.tif 000018
【００９４】
上式で、ＰPUSCH_REF（ｋ，ｉ）は、先に定義された通りである。ｋが、ｋ＝１，．．．，Kである搬送波番号であり、Ωが、アクティブ搬送波の集合（それぞれがサブフレームｉについてのＵＬグラントを有する）であることを想起すると、式１４における計算されたＵＬ電力は、アクティブ搬送波Ωの集合内にないｋ＝１，．．．，Kの集合内の搬送波のサブセットにわたる合計である。
【００９５】
方法２．Ｂ
この方法では、搬送波群あたりのＰＨが定義される。サブフレームｉ内でグループ内の１つまたは複数の搬送波について有効なＵＬグラントを有する（したがってＰＵＳＣＨ送信を有する）各ＵＬ搬送波群ｍについて、そのＰＨは、
【００９６】
【数１８】
0005581331.tif 000019
【００９７】
として定義される。
【００９８】
上式で、ＰCMAX（ｍ）は、先に定義された通りである。
【００９９】
グループ内のどの搬送波についてもＵＬグラントを有していない各ＵＬ搬送波群ｍについて、ＷＴＲＵは、任意選択で、そのＰＨを報告することができ、このＰＨは、基準グラントパラメータ（ＰＵＳＣＨ割当て、トランスポートフォーマットなど）に基づいて、
【０１００】
【数１９】
0005581331.tif 000020
【０１０１】
として定義される。
【０１０２】
上式で、ＰPUSCH_REF（ｋ，ｉ）は、式９の場合と同様に定義される。
【０１０３】
前述のように、搬送波群固有のＰＨ報告は、典型的には、グループ内の搬送波が連続的であり（またおそらくは同様のＵＬグラントを有し）、その結果、それらの送信電力レベルが互いに近い（ＰＨ値が互いに同様のものになる）場合に使用することができる。
【０１０４】
方法２．Ｃ
この方法では、搬送波あたりのＰＨが定義される。サブフレームｉ内の有効なＵＬグラントを有する（したがってＰＵＳＣＨ送信を有する）Ωm内のＵＬ搬送波ｋについて、そのＰＨは、
ＰＨ（ｋ，ｉ）＝ＰCMAX_carrier（ｋ）−ＰPUSCH_UG（ｋ，ｉ）      式（１７）
として定義される。
【０１０５】
上式で、ＰCMAX_carrier（ｋ）は、Ωm内のｋ番目の搬送波の、設定された最大ＷＴＲＵ送信電力であり、
【０１０６】
【数２０】
0005581331.tif 000021
【０１０７】
または
【０１０８】
【数２１】
0005581331.tif 000022
【０１０９】
として定義することができる。
【０１１０】
上式で、式１７ｂにおける合計は、各搬送波がＵＬグラントを有する、搬送波群内の搬送波についてのみ適用される。
【０１１１】
各搬送波が同じ帯域幅を有するとき、ＰCMAX_carrier（ｋ）は、Ωm内の搬送波すべてについて同一である。あるいは、ＰCMAX_carrier（ｋ）は、各搬送波ｋについて異なるように、または独立に構成されてもよいが、Ωm内のすべての搬送波ｋについてのＰCMAX_carrier（ｋ）の和は、搬送波群最大送信電力ＰCMAX（ｍ）の対象であり、すなわち、式１７ａについて
【０１１２】
【数２２】
0005581331.tif 000023
【０１１３】
、または式１７ｂについて
【０１１４】
【数２３】
0005581331.tif 000024
【０１１５】
である。あるいは、ＰCMAX_carrier（ｋ）は、簡単にするために、Ωm内のｋすべてについて一定の値に設定されてもよい。
【０１１６】
ＵＬグラントを有していない各ＵＬ搬送波ｋについて、ＷＴＲＵは、任意選択で、そのＰＨを報告することができ、このＰＨは、基準グラントパラメータ（ＰＵＳＣＨ割当て、トランスポートフォーマットなど）に基づいて、
ＰＨ（ｋ，ｉ）＝ＰCMAX_carrier（ｋ）−ＰPUSCH_REF（ｋ，ｉ）      式（１８）
として定義される。
【０１１７】
上式で、
【０１１８】
【数２４】
0005581331.tif 000025
【０１１９】
およびＰPUSCH_REF（ｋ，ｉ）は、式９の場合と同様に定義される。
【０１２０】
方法２．Ｄ
広帯域と搬送波（または搬送波群）固有の方法の組合せを使用することができる。たとえば、広帯域ＰＨおよび搬送波固有のＰＨ値を報告すること、および広帯域ＰＨおよび搬送波群固有のＰＨ値を報告することである。ｅノードＢは、ＷＴＲＵがどのようにＰＨを報告するか（たとえば、広帯域ＰＨ、搬送波ごとのＰＨ、搬送波群ごとのＰＨ、またはそれらの組合せを報告すること）に関して各ＷＴＲＵを構成することができる。
【０１２１】
方法２．Ｅ
この方法では、ＰＨ計算が基準搬送波に基づいている。パスロスは搬送周波数に依存するので（すなわち、搬送周波数が高いほどパスロスが大きくなる）、ＰＨの報告は、基準コンポーネントキャリア、たとえば最も低い搬送周波数を有する搬送波または最も高い搬送周波数を有する搬送波に基づいている。他の搬送波についてのパワーヘッドルーム値は、基準搬送波に比べて計算および報告される。あるいは、ＷＴＲＵが基準搬送波についてＰＨを報告し、ｅノードＢが、報告された基準ＰＨに従って他の搬送波についてＰＨを推定する。この方法は、シナリオ１およびシナリオ３にも適用可能である。
【０１２２】
シナリオ３
搬送波群ｍ上の総ＷＴＲＵ送信電力が、予め定義された、かつ／または設定された最大送信電力ＰCMAX（ｍ）の対象である。ＰCMAX（ｍ）は、ＷＴＲＵパワークラス、許容差および調整、ならびにｅノードＢによってＷＴＲＵにシグナリングされる最大許容送信電力（おそらくは搬送波群あたり）の何らかの組合せに依存する可能性がある。１つまたは複数の搬送波が搬送波群内にある可能性がある。さらに、すべての集合搬送波上のＷＴＲＵ送信電力の和が、予め定義された、かつ／または設定された最大許容送信電力ＰCMAX_totalの対象であり、ここで
【０１２３】
【数２５】
0005581331.tif 000026
または
【０１２４】
【数２６】
0005581331.tif 000027
【０１２５】
である。ＰCMAX_totalは、ＷＴＲＵパワークラス、許容差および調整、ならびにｅノードＢによってＷＴＲＵにシグナリングされる最大許容アグリゲート送信電力の何らかの組合せに依存する可能性がある。このシナリオは、１つまたは複数の搬送波のグループについてＷＴＲＵ送信信号増幅／電力を制御するＲＦ  ＰＡがあり、最大送信電力が各搬送波群について構成され、最大送信電力がすべての搬送波（または搬送波群）について構成される場合に対応する。
【０１２６】
考察の便宜上、式３と同様に、ＰPUSCH_UG（ｋ，ｉ）を使用して、どの最大送信電力制限をも考慮する前の、所与のＵＬスケジューリンググラント（ＲＢ割当て、ＭＣＳ、電力制御コマンドなど）によって必要とされる、搬送波ｋ上、サブフレームｉ内のＷＴＲＵ送信電力を示す。ＬＴＥ−ＡにおけるＰPUSCH_UG（ｋ，ｉ）の厳密な式は、ＬＴＥ−Ａ標準によって採用されている電力制御手順および式によって決まる。残りの部分の考察では、提案されている方法は、ＰPUSCH_UG（ｋ，ｉ）を決定するために使用されるＵＬ電力制御手順および式から独立している。
【０１２７】
本明細書では、Ｋ≧１として、Ｋ個の集合搬送波があると仮定する。Ｋ個の搬送波のうち、Ｍ個の搬送波（Ｍ≦Ｋ）が、サブフレームｉ内で有効なＵＬグラントを有する。Ωが、有効なＵＬグラントを有する搬送波すべての集合を示すものとする。
【０１２８】
方法３．Ａ
この方法では、サブフレームｉについてのＷＴＲＵに関する広帯域ＰＨが式６で定義される。この広帯域ＰＨ報告には、単一の値を報告することによってシグナリングオーバーヘッドを最小限に抑えるという利点がある。ＷＴＲＵは、任意選択で、ＵＬグラントのない搬送波についての広帯域ＰＨを報告することができ、このＰＨは、式１４で定義されるＰＨWB_NG（ｉ）として示される。
【０１２９】
方法３．Ｂ
この方法では、搬送波あたりのＰＨが定義される。サブフレームｉ内で有効なＵＬグラントを有する（したがってＰＵＳＣＨ送信を有する）各ＵＬ搬送波ｋについて、そのＰＨは、式１７で定義され、さらに
【０１３０】
【数２７】
0005581331.tif 000028
【０１３１】
に制約される。ＵＬグラントを有していない各ＵＬ搬送波ｋについて、ＷＴＲＵは、任意選択でそのＰＨを報告することができ、そのＰＨは、式１８において基準パラメータ（ＰＵＳＣＨ割当て、トランスポートフォーマットなど）に基づいて定義され、さらに
【０１３２】
【数２８】
0005581331.tif 000029
【０１３３】
に制約される。
【０１３４】
方法３．Ｃ
この方法では、搬送波群あたりのＰＨが定義される。サブフレームｉ内でグループ内の少なくとも１つの搬送波について有効なＵＬグラントを有する（したがってＰＵＳＣＨ送信を有する）各ＵＬ搬送波群ｍについて、そのＰＨは、式１５で定義され、さらに
【０１３５】
【数２９】
0005581331.tif 000030
【０１３６】
に制約される。グループ内のどの搬送波についてもＵＬグラントを有していない各ＵＬ搬送波群ｍについて、ＷＴＲＵは、任意選択で、そのＰＨを報告することができ、このＰＨは、基準グラントパラメータ（ＰＵＳＣＨ割当て、トランスポートフォーマットなど）に基づいて、式１６で定義され、さらに
【０１３７】
【数３０】
0005581331.tif 000031
に制約される。
【０１３８】
方法３．Ｄ
広帯域と搬送波（または搬送波群）固有の方法の組合せを使用することができる。たとえば、広帯域ＰＨおよび搬送波固有のＰＨ値を報告すること、および広帯域ＰＨおよび搬送波群固有のＰＨ値を報告することである。ｅノードＢは、ＷＴＲＵがどのようにＰＨを報告するか（たとえば、広帯域ＰＨ、搬送波ごとのＰＨ、搬送波群ごとのＰＨ、またはそれらの組合せを報告すること）に関して各ＷＴＲＵを構成することができる。
【０１３９】
キュービックメトリックを考慮したパワーヘッドルーム
ＬＴＥ−ＡのＵＬでは、キャリアアグリゲーション、改良された多元接続技法（ＯＦＤＭＡまたはクラスタをベースとするＤＦＴ−ＯＦＤＭＡなど）、およびＭＩＭＯを含めて、いくつかの要因により、シングルキャリア特性が失われる可能性がある。シングルキャリア特性のない信号は、一般に、シングルキャリア特性を有する信号より大きなキュービックメトリック（ＣＭ）を有する可能性がある。そのようなより高いＣＭを有する信号を送信することは、ＷＴＲＵのＲＦ  ＰＡ特性に応じて、公称最大電力からある程度の性能低下またはバックオフ（ｂａｃｋｏｆｆ）を必要とする。ＷＴＲＵが公称最大電力からバックオフすることが起こるのを回避するために、ＰＨ報告は、より高いＣＭの作用を含むことができる。たとえば、方法２．Ｂにおいて式１５で与えられる場合について、
【０１４０】
【数３１】
0005581331.tif 000032
【０１４１】
を使用して、ＣＭをＰＨ計算に盛り込むことができる。
【０１４２】
上式で、Ｐ’CMAX_L−Ｔ（Ｐ’CMAX_L）≦Ｐ’CMAX≦ＰCMAX_H＋Ｔ（ＰCMAX_H）およびＰ’CMAX_L＝ｍｉｎ（ＰEMAX_L，ＰUMAX−ΔＣＭ（ｉ））、Ｐ’ＣMAX_H＝ｍｉｎ（ＰEMAX_H，ＰpowerClass）である。ＰEMAX_LとＰEMAX_Hは、それぞれ、より上位の層によって構成される最大許容電力である。ＰUMAXは、ＷＴＲＵパワークラスおよび／またはＰＡ実装に依存する、ＷＴＲＵ最大出力電力である。ＰpowerClassは、許容差もどんなバックオフも考慮しない、ＷＴＲＵパワークラスに依存する、ＷＴＲＵ最大出力電力である。Ｐ’CMAXは、先に定義されたＰCMAXの修正であり、ＰCMAXの下限がＰEMAX_LではなくＰUMAXによって境界を画されていることを考えると、実際にはＰCMAXの下限を下げる。ΔＣＭ（ｉ）は、サブフレームｉ内で、シングルキャリア特性を失ったことによるより高いＣＭ（一般に単位ｄＢ）に関連する要素である。ΔＣＭ（ｉ）は、所与のＰＡ実装を考慮して、ＷＴＲＵによって任意の既知の方法で決定される。複数のＰＡを有するＷＴＲＵの場合、この方法は、各ＰＡについて独特のものとすることができる。
【０１４３】
統計ベースのパワーヘッドルーム報告
複数のＰＨ値を報告すべき場合、ＬＴＥ−ＡにおけるＰＨＲシグナリングオーバーヘッドは、ＬＴＥのＰＨＲシグナリングオーバーヘッドに比べて増大する。制御シグナリングを節約するために、効率的なＰＨＲシグナリングを使用することができる。
【０１４４】
オーバーヘッドを削減するために、少ない数のＰＨ値をシグナリングすることができる。ＰＨを報告する目標は、ＵＬ送信にどれだけの電力を設定することができるかネットワークに知らせることである。特定の搬送波ごとのＰＨＲを選択しネットワークにシグナリングすることは困難となり得る。というのは、現在のＰＨＲ定義が、ＵＬスケジューリンググラント、パスロスの差、および異なるＰＡに対する制限に依存するからである。たとえば、搬送波１におけるグラントが搬送波２におけるグラントより大きい場合、搬送波１におけるＰＨＲは、搬送波１におけるパスロスがより小さい場合でさえ、搬送波２より小さくなる可能性がある。
【０１４５】
オーバーヘッドを削減するために、複数の搬送波群（または搬送波）固有のＰＨＲの統計を使用することができる。たとえば、統計は、その集合からの最も小さいＰＨ、最も大きいパスロス搬送波に対応するＰＨ、または最も小さいパスロス搬送波に対応するＰＨ（ＰCMAX_carrier−パスロス）、のうちのいずれか１つとすることができる。最も小さいパスロス搬送波に対応するＰＨＲを選択することによって、グラント依存の側面がＰＨＲ選択から効果的に除去される。
【０１４６】
個々のＰＨＲの統計量を使用することができる。たとえば、ＰＨの平均、または最悪の場合のＰＨを報告することができる。この統計量に加えて、個々の搬送波についてＰＨ値の差を報告することもできる。
【０１４７】
差分報告
制御シグナリングオーバーヘッドをセーブするために、差分ＰＨ報告を使用することができる。たとえば、方法２．Ｂについて、１つまたは複数の搬送波のＰＨ値を完全な分解能で報告し、基準ポイントとして設定することができる。残りの搬送波についてのＰＨ値は、基準ポイントに対して差分で（すなわち、デルタとして）計算および報告することができる。別の例は、方法２．Ｄにおいて、広帯域ＰＨ値を基準ポイントとして使用することができ、次いで搬送波群固有のＰＨ値を、広帯域ＰＨ値に対して差分で計算および報告することができる。
【０１４８】
完全な分解能のＰＨＲ（基準ポイントとして使用される）のためのシグナリングフォーマットは、上位互換性を維持することができるように、ＬＴＥ  Ｒ８のためのもの、すなわち１ｄＢの分解能で範囲［４０；−２３］ｄＢを有する６ビットと同じに保つことができる。ＰＨＲの差は、より少ないビットで報告されてもよい。
【０１４９】
アップリンクでのパワーヘッドルーム報告のマッピング
ＬＴＥでは、ＰＨは、ＵＬ搬送波上でＰＵＳＣＨ上の媒体アクセス制御（ＭＡＣ）制御要素（ＣＥ）内で担持される。ＬＴＥ−Ａについては、いくつかの報告すべきＰＨ値があり得る。したがって、ＰＨＲ対ＵＬ搬送波（１つまたは複数）のマッピングを指定しなければならない。
【０１５０】
所与のサブフレームまたは送信時間間隔（ＴＴＩ）内で１つのタイプのＰＨＲだけがトリガされるとき、以下のＰＨＲ対ＵＬ搬送波マッピングのいずれか１つを使用することができる。
【０１５１】
１．搬送波固有のＰＨＲ（ＵＬグラントを有する搬送波の場合）は、それ自体のＵＬ搬送波上で送信される。
【０１５２】
２．搬送波固有のＰＨＲ（ＵＬグラントのない搬送波の場合）は、予め定義されたＵＬ搬送波上で送信される。
【０１５３】
３．搬送波群固有のＰＨＲ（ＵＬグラントを有する搬送波群の場合）は、その搬送波群内の搬送波上で送信される。
【０１５４】
４．搬送波群固有のＰＨＲ（ＵＬグラントのない搬送波群の場合）は、所定の規則による搬送波上で送信される。
【０１５５】
５．広帯域ＰＨＲは、所定の規則による１つの搬送波上でマッピングされる。
【０１５６】
所与のサブフレームまたはＴＴＩ内で複数のタイプのＰＨＲがトリガされるときは、ＵＬグラントのない搬送波（または複数の搬送波／搬送波群）についてのＰＨＲを、ＵＬグラントを有する搬送波（または複数の搬送波／搬送波群）についてのＰＨＲと同じ搬送波上で送信することができる。ＵＬグラントを有する広帯域ＰＨＲは、グラントを有する搬送波固有のＰＨＲまたは搬送波群固有のＰＨＲと同じ搬送波上で送信することができ、逆も同様である。
【０１５７】
パワーヘッドルームの報告モード
いくつかのタイプのＰＨ情報がある。広帯域ＰＨ（ＷＢ−ＰＨＲ）は、現在のＴＴＩ内で有効なＵＬスケジューリンググラントを有する搬送波すべてについて１つのＷＢ−ＰＨＲを含み（タイプ１）、または現在のＴＴＩ内で有効なＵＬスケジューリンググラントのない搬送波すべてについて１つのＷＢ−ＰＨＲを含む（タイプ２）。搬送波固有または搬送波群固有のＰＨＲ（ＣＳ−ＰＨＲ）は、現在のＴＴＩ内で有効なＵＬスケジューリンググラントを有する各搬送波または搬送波群について１つのＣＳ−ＰＨＲを含み（タイプ３）、または現在のＴＴＩ内で有効なＵＬスケジューリンググラントのない各搬送波または搬送波群について１つのＣＳ−ＰＨＲを含む（タイプ４）。
【０１５８】
このシステムは、いくつかのＰＨ報告モードをサポートすることができ、これらのＰＨ報告モードは、ｅノードＢによって、ＲＲＣシグナリングまたはＬ１／Ｌ２シグナリングを介して構成および再構成することができる。キャリアアグリゲーションを用いるＬＴＥ−ＡのためのＰＨ報告は、上述のタイプのいずれか１つ、またはそれらの組合せとすることができる。たとえば、ＵＬ多元接続方式、ＵＬ電力制御方式に応じて、また最大ＷＴＲＵ送信電力制限が搬送波ごとであるか、それとも搬送波全部にわたるものかに応じて、以下の報告モードが可能である。
レポートモード１：タイプ１ＰＨのみ
レポートモード２：タイプ３ＰＨのみ
レポートモード３：タイプ１およびタイプ３ＰＨ
レポートモード４：タイプ１およびタイプ２ＰＨ
レポートモード５：タイプ３およびタイプ４ＰＨ
レポートモード６：タイプ１、タイプ２、およびタイプ３ＰＨ
レポートモード７：タイプ１、タイプ３、およびタイプ４ＰＨ
レポートモード８：タイプ１、タイプ２、タイプ３、およびタイプ４ＰＨ
【０１５９】
パワーヘッドルーム報告手順の構成
異なるタイプのＰＨに使用される報告パラメータ（ＰＥＲＩＯＤＩＣ  ＰＨＲ  ＴＩＭＥＲ、ＤＬ＿ＰａｔｈｌｏｓｓＣｈａｎｇｅ、およびＰＲＯＨＩＢＩＴ＿ＰＨＲ＿ＴＩＭＥＲ）を構成し、各タイプのＰＨについて報告頻度を制御することができる。ＰＨタイプｉ（ただし、ｉ＝１、２、３、または４）について、パラメータＰＲＯＨＩＢＩＴ＿ＰＨＲ＿ＴＩＭＥＲ（ｉ）、ＰＥＲＩＯＤＩＣ  ＰＨＲ  ＴＩＭＥＲ（ｉ）、およびＤＬ＿ＰａｔｈｌｏｓｓＣｈａｎｇｅ（ｉ）を使用することができる。
【０１６０】
以下は、報告パラメータ構成の例である。
【０１６１】
タイプ２ＰＨおよびタイプ４ＰＨを、タイプ１ＰＨおよびタイプ３ＰＨより少ない頻度で報告することができる。タイプ２ＰＨおよびタイプ４ＰＨについての報告パラメータ（ＰＲＯＨＩＢＩＴ＿ＰＨＲ＿ＴＩＭＥＲ（ｉ）、ＰＥＲＩＯＤＩＣ  ＰＨＲ  ＴＩＭＥＲ（ｉ）、およびＤＬ＿ＰａｔｈｌｏｓｓＣｈａｎｇｅ（ｉ））のいくつか、またはすべてが、タイプ１およびタイプ３についてのものより大きい。より大きいＰＲＯＨＩＢＩＴ＿ＰＨＲ＿ＴＩＭＥＲ（ｉ）値は、イベントによってトリガされるＰＨＲ（すなわち、パスロスの変化によってトリガされる）と最後のＰＨＲとの間の時間がより大きくなり得ることを意味する。より大きなＰＥＲＩＯＤＩＣ  ＰＨＲ  ＴＩＭＥＲ（ｉ）値は、２つの周期的なＰＨＲ間の時間がより大きくなり得ることを意味する。より大きなＤＬ＿ＰａｔｈｌｏｓｓＣｈａｎｇｅ（ｉ）値は、（非周期的な）ＰＨＲをトリガするためのＤＬパスロスの変化がより大きくなり得ることを意味する。
【０１６２】
タイプ１ＰＨは、最大ＷＴＲＵ送信電力制限が、搬送波全部にわたるＷＴＲＵ送信電力の和である場合に、タイプ３ＰＨより多くの頻度で報告することができる。この場合、タイプ３ＰＨについてのパラメータ（ＰＲＯＨＩＢＩＴ＿ＰＨＲ＿ＴＩＭＥＲ（ｉ）、ＰＥＲＩＯＤＩＣ  ＰＨＲ  ＴＩＭＥＲ（ｉ）、およびＤＬ＿ＰａｔｈｌｏｓｓＣｈａｎｇｅ（ｉ））のいくつか、またはすべてが、タイプ１についてのものより大きい。
【０１６３】
タイプ３ＰＨは、最大ＷＴＲＵ送信電力制限が、搬送波全部にわたるのではなく搬送波ごとである場合に、タイプ１ＰＨより多くの頻度で報告することができる。この場合、タイプ１ＰＨについてのパラメータ（ＰＲＯＨＩＢＩＴ＿ＰＨＲ＿ＴＩＭＥＲ（ｉ）、ＰＥＲＩＯＤＩＣ  ＰＨＲ  ＴＩＭＥＲ（ｉ）、およびＤＬ＿ＰａｔｈｌｏｓｓＣｈａｎｇｅ（ｉ））のいくつか、またはすべてが、タイプ３についてのものより大きい。
【０１６４】
様々なＰＨＲタイプの周期性に関して、ｅノードＢは、各ＰＨＲタイプを定義することができ、必要に応じて各タイプの報告周期性を設定することができる。報告の頻度およびタイプは、ｅノードＢのスケジューラの機能に関する。
【０１６５】
いくつかの搬送波にわたって定義されたＰＨ（たとえば、広帯域ＰＨまたは搬送波群固有のＰＨ）について、等価パスロスＰＬeqと呼ばれるパスロスメトリックをＰＨ報告に使用することができる。等価パスロスは、当該の搬送波の中の最大（または最小）パスロス、当該の搬送波の平均パスロス、または当該の搬送波の中のパスロスの重み付け平均、のうちのいずれか１つとすることができる。
【０１６６】
各搬送波のパスロスは、（すべての搬送波または搬送波のグループの中での）総ＷＴＲＵ計算送信電力に対するその貢献度によって重み付けすることができる。パスロスは、以下の要素、すなわち、サブフレームｉについて有効なリソースブロックの数で表された、各搬送波上のＰＵＳＣＨリソース割当ての帯域幅、トランスポートフォーマット率、およびサブフレームｉについての（ＵＬ電力制御コマンドによる）送信電力調整ステップによって重み付けすることができる。トランスポートフォーマット率は、ＫS＝１．２５についてΔＴＦ（ｉ）＝１０１ｏｇ10（２MPR(i)×KS−１）、ＫS＝０についてΔＴＦ（ｉ）＝０によって決定され、ここでＫSは、ＲＲＣによって与えられるセル固有のパラメータである。
【０１６７】
【数３２】
0005581331.tif 000033
【０１６８】
であり、上式で、ＴＢＳ（ｉ）は、サブフレームｉについてのトランスポートブロックサイズであり、ＮRE（ｉ）は、リソース要素の数である。
【０１６９】
広帯域パワーヘッドルーム報告手順
広帯域ＰＨ報告の場合については、ＷＢ−ＰＨＲタイプについて、セル帯域幅全体に対して１つのＰＲＯＨＩＢＩＴ＿ＰＨＲ＿ＴＩＭＥＲ（ｉ）と１つのＰＥＲＩＯＤＩＣ  ＰＨＲ  ＴＩＭＥＲ（ｉ）を維持する（たとえば、スタート、動作中、満了、再スタート）ことができる。
【０１７０】
タイプｉのＰＨＲは、以下のイベントのいずれかが発生した場合、トリガされる可能性がある。
【０１７１】
１．ＰＲＯＨＩＢＩＴ＿ＰＨＲ＿ＴＩＭＥＲ（ｉ）が満了し、またはすでに満了しており、最後のＰＨＲ以来、パスロスがＤＬ＿ＰａｔｈｌｏｓｓＣｈａｎｇｅ（ｉ）ｄＢを超えて変化した。広帯域ＰＨＲについて、ＰＨＲトリガに使用されるパスロスは、上記で定義されたＰＬeqである。
【０１７２】
２．ＰＥＲＩＯＤＩＣ  ＰＨＲ  ＴＩＭＥＲ（ｉ）が満了し、この場合、ＰＨＲは「周期的なＰＨＲ（Ｐｅｒｉｏｄｉｃ  ＰＨＲ）」と呼ばれる。
【０１７３】
３．周期的なＰＨＲの構成および再構成（またはリセット）時。
【０１７４】
ＰＨ報告手順によって、タイプｉのＰＨＲが、同じタイプのＰＨＲの最後の送信以来トリガされたと判定された場合、およびＷＴＲＵが、このＴＴＩについて、新しい送信に割り当てられたＵＬリソースを有する場合には、図２に示されている方法２００を実施することができる。
【０１７５】
ＰＨ値が物理層から得られる（ステップ２０２）。ＭＡＣにおける多重化およびアセンブリ（Ｍｕｌｔｉｐｌｅｘｉｎｇ  ａｎｄ  Ａｓｓｅｍｂｌｙ）手順が指令され、得られたＰＨ値に基づいてＰＨＲ  ＭＡＣ  ＣＥを生成する（ステップ２０４）。ＰＨＲが周期的なＰＨＲであるかどうか判定される（ステップ２０６）。ＰＨＲが周期的なＰＨＲである場合には、ＰＥＲＩＯＤＩＣ  ＰＨＲ  ＴＩＭＥＲ（ｉ）を再スタートする（ステップ２０８）。ＰＨＲが周期的なＰＨＲでない場合（ステップ２０６）、またはＰＥＲＩＯＤＩＣ  ＰＨＲ  ＴＩＭＥＲ（ｉ）を再スタートした後（ステップ２０８）、ＰＲＯＨＩＢＩＴ＿ＰＨＲ＿ＴＩＭＥＲ（ｉ）を再スタートする（ステップ２１０）。次いで、方法が終了する。
【０１７６】
ＰＨＲを送信することができるときまでに１つのタイプのＷＢ−ＰＨＲについて複数のイベントが発生した場合でさえ、１タイプあたり１つのＰＨＲがＭＡＣ  ＰＤＵに含まれる。
【０１７７】
搬送波固有または搬送波群固有のパワーヘッドルーム報告手順
別の例では、搬送波固有または搬送波群固有のＰＨ報告の場合について、各搬送波または搬送波群ごとに、各ＣＳ−ＰＨＲタイプについて１つのＰＲＯＨＩＢＩＴ＿ＰＨＲ＿ＴＩＭＥＲおよび１つのＰＥＲＩＯＤＩＣ  ＰＨＲ  ＴＩＭＥＲが維持される。同じタイプ内では、１つの搬送波または搬送波群のＰＨ報告手順は、他の搬送波または搬送波群から独立している。
【０１７８】
各搬送波または搬送波群のタイプｉのＰＨＲは、以下のイベントのいずれかが発生した場合、トリガされる可能性がある。
【０１７９】
１．この搬送波または搬送波群のＰＲＯＨＩＢＩＴ＿ＰＨＲ＿ＴＩＭＥＲ（ｉ）が満了し、またはすでに満了しており、この搬送波または搬送波群の最後のＰＨＲ以来、パスロスがＤＬ＿ＰａｔｈｌｏｓｓＣｈａｎｇｅ（ｉ）ｄＢを超えて変化した。搬送波固有のＰＨについて、パスロスは、ＬＴＥの場合と同じ定義に従う。搬送波群固有のＰＨについて、パスロスは、上記で定義されたＰＬeqである。
【０１８０】
２．この搬送波または搬送波群のＰＥＲＩＯＤＩＣ  ＰＨＲ  ＴＩＭＥＲ（ｉ）が満了し、この場合、ＰＨＲは「周期的なＰＨＲ（Ｐｅｒｉｏｄｉｃ  ＰＨＲ）」と呼ばれる。
【０１８１】
３．周期的なＰＨＲの構成および再構成（またはリセット）時。
【０１８２】
ＰＨ報告手順によって、この搬送波または搬送波群についてのタイプｉのＰＨＲが、同じタイプのＰＨＲの最後の送信以来トリガされたと判定された場合、およびＷＴＲＵが、このＴＴＩについて、新しい送信に割り当てられたＵＬリソースを有する場合には、図３に示されている方法３００を実施することができる。
【０１８３】
ＰＨ値が物理層から得られる（ステップ３０２）。ＭＡＣにおける多重化およびアセンブリ（Ｍｕｌｔｉｐｌｅｘｉｎｇ  ａｎｄ  Ａｓｓｅｍｂｌｙ）手順が指令され、得られたＰＨ値に基づいてＰＨＲ  ＭＡＣ  ＣＥを生成する（ステップ３０４）。ＰＨＲが周期的なＰＨＲであるかどうか判定される（ステップ３０６）。ＰＨＲが周期的なＰＨＲである場合には、この搬送波または搬送波群についてＰＥＲＩＯＤＩＣ  ＰＨＲ  ＴＩＭＥＲ（ｉ）を再スタートする（ステップ３０８）。ＰＨＲが周期的なＰＨＲでない場合（ステップ３０６）、またはＰＥＲＩＯＤＩＣ  ＰＨＲ  ＴＩＭＥＲ（ｉ）を再スタートした後（ステップ３０８）、この搬送波または搬送波群についてＰＲＯＨＩＢＩＴ＿ＰＨＲ＿ＴＩＭＥＲ（ｉ）を再スタートする（ステップ３１０）。次いで、方法が終了する。
【０１８４】
ＰＨＲを送信することができるときまでに、１つの搬送波または搬送波群ごとに、１つのタイプのＰＨＲについて複数のイベントが発生した場合でさえ、搬送波または搬送波群あたりに１タイプあたり１つのＰＨＲしかＭＡＣ  ＰＤＵに含まれない可能性がある。しかし、同じタイプまたは異なるタイプの複数のＰＨＲがＭＡＣ  ＰＤＵに含まれてもよい（ＭＡＣ  ＰＤＵのヘッダがＭＡＣ  ＣＥを暗示し、次いで１つのＭＡＣ  ＣＥもまた、複数の制御コマンド、たとえば複数のＰＨＲを連結することができる）。
【０１８５】
あるいは、ＷＴＲＵがバッファステータスレポート（ＢＳＲ）を送ることによって、また周期的なＰＨＲが現在動作していない場合、ＰＨＲをトリガすることができる。ＵＬ搬送波の数にかかわらず、ＷＴＲＵについてＢＳＲ値が１つだけ報告される。一例では、ＷＴＲＵがＵＬグラントを有するときＢＳＲを送ることができ、そのＢＳＲは、ｅノードＢにバッファステータスを知らせる。ＰＵＳＣＨ上のパディングビットの数が、１つの設定されたＰＨＲタイプにそのサブヘッダを加えたもののサイズ以上である場合、パディングビットを送るのではなく、少なくとも１つのＰＨＲタイプがＢＳＲと共にＰＵＳＣＨ上で報告される。ＰＨＲをＢＳＲと共に送ることにより、ｅノードＢには、ＷＴＲＵでの現在の状況のより完全な全体像がもたらされ、その結果、ｅノードＢスケジューラは、より適切なアクションを起こすこと。また、ＢＳＲが空であるとき、ＷＴＲＵは、ＰＵＳＣＨ上で空のＢＳＲを送るのではなく、ＢＳＲの代わりに１つまたは複数のＰＨＲ（広帯域タイプ、搬送波固有のタイプ、または搬送波群固有のタイプ）を送信することができる。ＰＨＲを、ＢＳＲ内の要求されたリソースに従ってレポートモードに設定することができ、報告されるＰＨは、そのレポートのために計算された一時的なＰＨ値である。
【０１８６】
典型的なＬＴＥシステム構成
図４は、拡張ユニバーサル地上無線アクセスネットワーク（Ｅ−ＵＴＲＡＮ）４０５を含むロングタームエボリューション（ＬＴＥ）ワイヤレス通信システム／アクセスネットワーク４００を示す。Ｅ−ＵＴＲＡＮ４０５は、ＷＴＲＵ４１０と、いくつかの拡張ノードＢ（ｅＮＢ）４２０とを含む。ＷＴＲＵ４１０は、ｅＮＢ４２０と通信する。ｅＮＢ４２０は、Ｘ２インターフェースを使用して互いにインターフェースする。ｅＮＢ４２０のそれぞれは、Ｓ１インターフェースを介して無線通信移動管理装置（ＭＭＥ）／サービングゲートウェイ（Ｓ−ＧＷ）４３０とインターフェースする。図４には、単一のＷＴＲＵ４１０と３つのｅＮＢ４２０が示されているが、ワイヤレスデバイスと有線デバイスの任意の組合せをワイヤレス通信システム／アクセスネットワーク４００に含めることができることは明らかなはずである。
【０１８７】
図５は、ＷＴＲＵ４１０と、ｅＮＢ４２０と、ＭＭＥ／Ｓ−ＧＷ４３０とを含むＬＴＥワイヤレス通信システム５００の典型的なブロック図である。図５に示されているように、ＷＴＲＵ４１０、ｅＮＢ４２０、ＭＭＥ／Ｓ−ＧＷ４３０は、キャリアアグリゲーションのためのアップリンクパワーヘッドルーム報告の方法を実施するように構成される。
【０１８８】
典型的なＷＴＲＵに見出すことができる構成要素に加えて、ＷＴＲＵ４１０は、任意選択のリンクされたメモリ５２２を有するプロセッサ５１６と、少なくとも１つのトランシーバ（送受信機）５１４と、任意選択のバッテリ５２０と、アンテナ５１８とを含む。プロセッサ５１６は、キャリアアグリゲーションのためのアップリンクパワーヘッドルーム報告の方法を実施するように構成される。トランシーバ５１４は、プロセッサ５１６およびアンテナ５１８と通信し、ワイヤレス通信の送信および受信を円滑に進める。ＷＴＲＵ４１０内でバッテリ５２０が使用される場合、バッテリ５２０は、トランシーバ５１４およびプロセッサ５１６に給電する。
【０１８９】
典型的なｅＮＢに見出すことができる構成要素に加えて、ｅＮＢ４２０は、任意選択のリンクされたメモリ５１５を有するプロセッサ５１７と、トランシーバ５１９と、アンテナ５２１とを含む。プロセッサ５１７は、キャリアアグリゲーションのためのアップリンクパワーヘッドルーム報告の方法を実施するように構成される。トランシーバ５１９は、プロセッサ５１７およびアンテナ５２１と通信し、ワイヤレス通信の送信および受信を円滑に進める。ｅＮＢ４２０は、任意選択のリンクされたメモリ５３４を有するプロセッサ５３３を含む無線通信移動管理装置／サービングゲートウェイ（ＭＭＥ／Ｓ−ＧＷ）４３０に接続される。
【０１９０】
実施形態
１．搬送波固有のパワーヘッドルームを報告するための方法であって、搬送波あたりの最大電力を計算するステップと、前記搬送波が有効なアップリンクグラントを有するという条件で、式７に従って前記パワーヘッドルームを計算するステップと、前記計算されたパワーヘッドルームを報告するステップとを含むことを特徴とする方法。
【０１９１】
２．搬送波あたりの最大電力を計算するステップは、式１７ｂに基づいていることを特徴とする実施形態１に記載の方法。
【０１９２】
３．搬送波固有のパワーヘッドルームを報告するための方法であって、搬送波あたりの最大電力を計算するステップと、前記搬送波が有効なアップリンクグラントを有していないという条件で、式８に従って前記パワーヘッドルームを計算するステップと、前記計算されたパワーヘッドルームを報告するステップとを含むことを特徴とする方法。
【０１９３】
４．搬送波あたりの最大電力を計算するステップは、式１７ａに基づいていることを特徴とする実施形態１または３に記載の方法。
【０１９４】
５．搬送波群内の搬送波すべてについての搬送波あたりの最大電力の和が前記搬送波群についての最大送信電力によって制限されることを特徴とする実施形態２または４に記載の方法。
【０１９５】
６．搬送波群固有のパワーヘッドルームを報告するための方法であって、搬送波あたりの最大電力を計算するステップと、前記搬送波群内の少なくとも１つの搬送波が有効なアップリンクグラントを有するという条件で、式１０に従って前記群のパワーヘッドルームを計算するステップと、前記計算されたパワーヘッドルームを報告するステップとを含むことを特徴とする方法。
【０１９６】
７．搬送波群固有のパワーヘッドルームを報告するための方法であって、搬送波あたりの最大電力を計算するステップと、前記搬送波群内のどの搬送波も有効なアップリンクグラントを有していないという条件で、式１１に従って前記群のパワーヘッドルームを計算するステップと、前記計算されたパワーヘッドルームを報告するステップとを含むことを特徴とする方法。
【０１９７】
８．搬送波あたりの最大電力を計算するステップは、式７ａに基づいていることを特徴とする実施形態１、３、６、または７の一項に記載の方法。
【０１９８】
９．搬送波あたりの最大電力を計算するステップは、式７ｂに基づいていることを特徴とする実施形態１、３、６、または７の一項に記載の方法。
【０１９９】
１０．搬送波すべてについての搬送波あたりの最大電力の和が総最大送信電力によって制限されることを特徴とする実施形態８または９に記載の方法。
【０２００】
１１．搬送波群固有のパワーヘッドルームを報告するための方法であって、前記搬送波群内の少なくとも１つの搬送波が有効なアップリンクグラントを有するという条件で、式１５に従って前記群のパワーヘッドルームを計算するステップと、前記計算されたパワーヘッドルームを報告するステップとを含むことを特徴とする方法。
【０２０１】
１２．搬送波群固有のパワーヘッドルームを報告するための方法であって、前記搬送波群内のどの搬送波も有効なアップリンクグラントを有していないという条件で、式１６に従って前記群のパワーヘッドルームを計算するステップと、前記計算されたパワーヘッドルームを報告するステップとを含むことを特徴とする方法。
【０２０２】
１３．広帯域パワーヘッドルームを報告するための方法であって、式６、式１２ａ、式１２ｂ、式１３ａ、または式１３ｂのいずれか１つに従って前記パワーヘッドルームを計算するステップと、前記計算されたパワーヘッドルームを報告するステップとを含むことを特徴とする方法。
【０２０３】
１４．有効なアップリンクグラントのない搬送波について広帯域パワーヘッドルームを報告するための方法であって、式１４に従って前記パワーヘッドルームを計算するステップと、前記計算されたパワーヘッドルームを報告するステップとを含むことを特徴とする方法。
【０２０４】
１５．構成可能なパワーヘッドルームを報告するための方法であって、広帯域パワーヘッドルーム報告、搬送波固有のパワーヘッドルーム報告、または搬送波群固有のパワーヘッドルーム報告のための方法のいずれか１つを組み合わせるステップを含むことを特徴とする方法。
【０２０５】
１６．いずれかの前記実施形態に記載のパワーヘッドルームを報告するための方法において、キュービックメトリックの作用を考慮するステップであって、前記最大送信電力の制限は、前記最大送信電力の下限を、最大のワイヤレス送信／受信ユニットの出力電力に基づく値に調整することによって修正される、ステップをさらに含むことを特徴とする方法。
【０２０６】
１７．いずれかの前記実施形態に記載のパワーヘッドルームを報告するための方法において、差分パワーヘッドルーム報告を使用するステップであって、１つの搬送波または搬送波群についてのパワーヘッドルームが、完全な分解能で報告され、基準ポイントとして設定され、他の搬送波についてのパワーヘッドルームが、前記基準ポイントに対する差として計算および報告される、ステップをさらに含むことを特徴とする方法。
【０２０７】
上記では特徴および要素が特定の組合せで述べられているが、各特徴および要素は、他の特徴および要素なしの単独で、または他の特徴および要素との、もしくは他の特徴および要素を用いない様々な組合せで使用されてもよい。本明細書において提供されている方法または流れ図は、汎用コンピュータまたはプロセッサによって実行するためのコンピュータ可読記憶媒体内に組み込まれるコンピュータプログラム、ソフトウェア、またはファームウェアで実施することができる。コンピュータ可読記憶媒体の例は、読取り専用メモリ（ＲＯＭ）、ランダムアクセスメモリ（ＲＡＭ）、レジスタ、キャッシュメモリ、半導体メモリデバイス、内部ハードディスクや取外し式ディスクなど磁気媒体、光磁気媒体、ならびにＣＤ−ＲＯＭディスクおよびデジタル多用途ディスク（ＤＶＤ）など光媒体を含む。
【０２０８】
好適なプロセッサは、例として、汎用プロセッサ、専用プロセッサ、従来のプロセッサ、デジタル信号プロセッサ（ＤＳＰ）、複数のマイクロプロセッサ、ＤＳＰコアに関連付けられた１つまたは複数のマイクロプロセッサ、コントローラ、マイクロコントローラ、特定用途向け集積回路（ＡＳＩＣ）、特定用途向け標準製品（ＡＳＳＰ：特定分野を対象に機能を特化させた汎用ＬＳＩ）、フィールドプログラマブルゲートアレイ（ＦＰＧＡ）回路、ならびに任意の他のタイプの集積回路（ＩＣ）、および／または状態機械を含む。
【０２０９】
ソフトウェアに関連付けられたプロセッサを使用し、ワイヤレス送信／受信ユニット（ＷＴＲＵ）、ユーザイクイップメント（ＵＥ）、端末、基地局、無線通信移動管理装置（ＭＭＥ）、または拡張パケットコア（Ｅｖｏｌｖｅｄ  Ｐａｃｋｅｔ  Ｃｏｒｅ  （ＥＰＣ））、あるいは任意のホストコンピュータ内で使用するための無線周波数トランシーバを実装することができる。ＷＴＲＵは、ハードウェアおよび／またはソフトウェア無線（ＳＤＲ）を含むソフトウェアで実装されるモジュール、ならびにカメラ、ビデオカメラモジュール、テレビ電話、スピーカフォン、振動デバイス、スピーカ、マイクロフォン、テレビトランシーバ、ハンドフリー用ハンドセット、キーボード、Ｂｌｕｅｔｏｏｔｈ（登録商標）モジュール、周波数変調（ＦＭ）無線ユニット、近距離無線通信規格（Ｎｅａｒ  Ｆｉｅｌｄ  Ｃｏｍｍｕｎｉｃａｔｉｏｎ（ＮＦＣ））モジュール、液晶ディスプレイ（ＬＣＤ）ディスプレイユニット、有機発光ダイオード（ＯＬＥＤ）ディスプレイユニット、デジタル音楽プレーヤ、メディアプレーヤ、ビデオゲームプレーヤモジュール、インターネットブラウザ、および／または任意のワイヤレスローカルエリアネットワーク（ＷＬＡＮ）モジュールもしくは超広帯域無線（ＵＷＢ）モジュールなど他の構成要素と共に使用することができる。
【図１ａ】
0005581331.tif 000066
【図１ｂ】
0005581331.tif 000067
【図１ｃ】
0005581331.tif 000068
【図２】
0005581331.tif 000069
【図３】
0005581331.tif 000070
【図４】
0005581331.tif 000071
【図５】
0005581331.tif 000072